(57)【要約】      （修正有）【課題】機器を設置する前に機器間において、相互に無線通信が可能であるかを判定するシステムを提供する。【解決手段】第１の電子機器と、第２の電子機器と、第３の電子機器とを具備するシステムであって、第１の電子機器及び第２の電子機器はそれぞれ、第１の周波数帯域で通信可能な通信手段と第２の周波数帯域で通信可能な通信手段とを有する。第３の電子機器は、第１の電子機器と第２の電子機器とが第１の周波数帯域で相互に無線通信可能である否かを判定する第１のテストを実行させるための第１の指示を少なくとも前記第１の電子機器及び第２の電子機器のいずれかに送信する。第１の指示を受信したいずれかの電子機器は、第１のテストを実行し、第１のテストの結果を第３の電子機器に送信する。【選択図】なし【特許請求の範囲】
【請求項１】
第１の周波数帯域で通信可能な通信手段と第２の周波数帯域で通信可能な通信手段とを有する第１の電子機器と、
前記第１の周波数帯域で通信可能な通信手段と前記第２の周波数帯域で通信可能な通信手段とを有する第２の電子機器と、
第３の電子機器とを具備するシステムであって、
前記第３の電子機器は、前記第１の電子機器と前記第２の電子機器とが前記第１の周波数帯域で相互に無線通信可能であるか否かを判定する第１のテストを実行させるための第１の指示を少なくとも前記第１の電子機器及び前記第２の電子機器のいずれかに送信し、
前記第１の指示を受信したいずれかの電子機器は、前記第１のテストを実行し、前記第１のテストの結果を前記第３の電子機器に送信するシステム。
【請求項２】
前記第３の電子機器は、前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるか否かを判定する第２のテストを実行させるための第２の指示を前記第１の電子機器及び前記第２の電子機器のいずれかに送信し、
前記第２の指示を受信したいずれかの電子機器は、前記第２のテストを実行し、前記第２のテストの結果を前記第３の電子機器に送信する請求項１記載のシステム。
【請求項３】
前記第１の周波数帯域で通信可能な通信手段と前記第２の周波数帯域で通信可能な通信手段とを有する第４の電子機器を更に具備し、
前記第３の電子機器は、少なくとも前記第１及び第２の電子機器のいずれかの電子機器と前記第４の電子機器とが前記第１の周波数帯域で相互に無線通信可能であるか否かを判定する第３のテストを実行させるための第３の指示を少なくとも前記第１及び第２の電子機器のいずれかに送信し、
前記第３の指示を受信した前記第１及び第２の電子機器のいずれかの電子機器は、前記第３のテストを実行し、前記第３のテストの結果を前記第３の電子機器に送信する請求項１記載のシステム。
【請求項４】
前記第３の電子機器は、
前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるかを判定する第２のテストを実行させるための第２の指示を少なくとも前記第１及び第２の電子機器のいずれかに送信し、
前記第１の電子機器と前記第４の電子機器とが前記第１の周波数帯域で相互に無線通信可能ではないことを示す前記第３のテストの結果を受信した場合、前記第１の電子機器と前記第４の電子機器とが前記第２の周波数帯域で相互に無線通信可能であるか否かを判定する第４のテストを実行させるための第４の指示を少なくとも前記第１及び第２の電子機器のいずれかに送信し、
前記第２の指示を受信したいずれかの電子機器は、前記第２のテストを実行し、前記第２のテストの結果を前記第３の電子機器に送信し、
前記第４の指示を受信したいずれかの電子機器は、前記第４のテストを実行し、前記第４のテストの結果を前記第３の電子機器に送信する請求項３記載のシステム。
【請求項５】
前記第３の電子機器は、
前記第１の電子機器と前記第２の電子機器の一方を第１のモードに設定し、前記第１の電子機器と前記第２の電子機器の他方を第２のモードに設定し、
前記第１のモードに設定された前記第１の電子機器と前記第２の電子機器の一方に前記第１の指示を送信し、
前記第１のモードに設定された前記第１の電子機器と前記第２の電子機器の一方は、前記第１の指示を受信した場合、前記第１の周波数帯域の第１のテスト信号を前記第２のモードに設定された前記第１の電子機器と前記第２の電子機器の他方に送信し、
前記第２のモードに設定された前記第１の電子機器と前記第２の電子機器の他方は、前記第１のテスト信号を受信した場合、前記第１のテスト信号の受信度に応じた第１の応答信号を前記第１のモードに設定された前記第１の電子機器と前記第２の電子機器の一方に送信する請求項１記載のシステム。
【請求項６】
前記第３の電子機器は、前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるかを判定する第２のテストを実行させるための第２の指示を、前記第１のモードに設定された前記第１の電子機器と前記第２の電子機器の一方に送信し、
前記第１のモードに設定された前記第１の電子機器と前記第２の電子機器の一方は、前記第２の指示を受信した場合、前記第２の周波数帯域の第２のテスト信号を前記第２のモードに設定された前記第１の電子機器と前記第２の電子機器の他方に送信し、
前記第２のモードに設定された前記第１の電子機器と前記第２の電子機器の他方は、前記第２のテスト信号を受信した場合、前記第２のテスト信号の受信度に応じた第２の応答信号を前記第１のモードに設定された前記第１の電子機器と前記第２の電子機器の一方に送信する請求項５記載のシステム。
【請求項７】
前記第３の電子機器は、前記第１のテストの内容の更新指示を少なくとも前記第１の電子機器及び前記第２の電子機器のいずれかに送信し、
前記更新指示を受信したいずれかの電子機器は、前記第１のテストの内容を前記更新指示に基づいて更新する請求項１記載のシステム。
【請求項８】
前記第１のテストの内容を前記第３の電子機器に送信する第５の電子機器を更に具備し、
前記第３の電子機器は、前記第１のテストの内容を受信すると、受信した前記第１のテストの内容に基づいて、前記第１のテストの内容の更新指示を少なくとも前記第１の電子機器及び前記第２の電子機器のいずれかに送信する請求項１記載のシステム。
【請求項９】
前記第１の周波数帯域は２．４ＧＨｚ帯域であり、前記第２の周波数帯域は８６８ＭＨｚ帯域である請求項１記載のシステム。
【請求項１０】
前記第１の電子機器及び前記第２の電子機器は、充電池を更に具備する請求項１記載のシステム。
【請求項１１】
前記第１の電子機器及び前記第２の電子機器は、前記充電池の充電状況に応じた態様で点灯する点灯手段を具備する請求項１０記載のシステム。
【請求項１２】
前記第１のテストの結果を前記第１の指示を受信したいずれかの電子機器から取得し、取得した前記第１のテストの結果をサーバにアップロードする第６の電子機器を更に具備する請求項１記載のシステム。
【請求項１３】
前記第３の電子機器は、前記第１のテストの結果をサーバにアップロードする請求項１２記載のシステム。
【請求項１４】
前記第１の電子機器及び前記第２の電子機器の少なくとも一方は、
前記第１のテストが実行されている間は第１の態様で点灯し、前記第１のテストの実行が終了すると第２の態様で点灯する点灯手段を具備する請求項１記載のシステム。
【請求項１５】
前記第１の電子機器及び前記第２の電子機器の少なくとも一方は、
前記第１のテストが実行されている間は第１の態様で点灯し、前記第１のテストの結果が、前記第１の電子機器と前記第２の電子機器とが前記第１の周波数帯域で相互に無線通信可能であることを示す場合、第２の態様で点灯し、前記第１のテストの結果が、前記第１の電子機器と前記第２の電子機器とが前記第１の周波数帯域で相互に無線通信可能ではないことを示す場合、第３の態様で点灯する点灯手段を具備する請求項１記載のシステム。
【請求項１６】
第１の周波数帯域及び第２の周波数帯域で通信可能な通信手段を有する電子機器であって、
前記第１の周波数帯域及び前記第２の周波数帯域で通信可能な通信手段を有する第１の通信機器に対して、前記第１の周波数帯域で相互に無線通信可能であるか否かを判定するための第１のテストを実行させるための第１の指示を制御機器から受信した場合、前記第１のテストを実行し、前記第１のテストの結果を前記制御機器に送信する電子機器。
【請求項１７】
第１の周波数帯域及び第２の周波数帯域で通信可能な通信手段を有する第１の電子機器と、
前記第１の周波数帯域及び前記第２の周波数帯域で通信可能な通信手段を有する第２の電子機器と、
第３の電子機器とを具備するシステムにおけるテスト方法であって、
前記第３の電子機器は、前記第１の電子機器と前記第２の電子機器とが前記第１の周波数帯域で相互に無線通信可能である否かを判定する第１のテストを実行させるための第１の指示を少なくとも前記第１の電子機器及び前記第２の電子機器のいずれかに送信し、
前記第１の指示を受信した前記いずれかの電子機器は、前記第１のテストを実行し、前記第１のテストの結果を前記第３の電子機器に送信するテスト方法。
【発明の詳細な説明】
【技術分野】
【０００１】
本発明は、無線通信テストを実行するシステム、電子機器及びその方法に関する。
【背景技術】
【０００２】
近距離無線通信機能を有するガスメータ、電気メータ、水道メータ等は、近距離通信及び広域通信機能を有した通信ハブを介して、ガス、電力、水道等の使用量をガス会社、電力会社、水道会社等のサーバに送信する。各種メータ（ガスメータや電気メータ等のスマートメータ）の近距離無線機能と通信ハブは互いに２．４ＧＨｚ帯域で無線通信ができるように構成される。
【０００３】
しかし、通信ハブや各種メータを設置する周囲の環境によっては、通信ハブと各種メータとが２．４ＧＨｚ帯域で相互に無線通信することができない場合がある。そこで、２．４ＧＨｚ帯域以外の周波数帯域で無線通信可能な通信ハブや各種メータが開発されている。
【先行技術文献】
【特許文献】
【０００４】
【特許文献１】特開2003-348031号公報
【特許文献２】特開2001-283367号公報
【特許文献３】特開2008-135922号公報
【発明の概要】
【発明が解決しようとする課題】
【０００５】
しかしながら、作業者は通信ハブと各種メータとがどの周波数帯域で相互に無線通信することができるかについて、それらを設置する前に知ることはできない。そのため、作業者は通信ハブや各種メータを実際に設置してから両者間で無線通信テストを行い、両者間で相互に無線通信ができなければ、設置した通信ハブや各種メータを別の周波数帯域に対応した通信ハブや各種メータに取り換えなければならず、設置作業の時間を長引かせることになる。しかも、各メータを設置する場合、ガス、電力、水の供給を停止しなければならないことから、設置作業が長期化するとガスや電力、水の提供を受ける者の不都合が大きい。
【０００６】
本発明が解決しようとする課題は、機器を設置する前に機器間において、相互に無線通信が可能であるかを判定するシステム、電子機器及びテスト方法を提供することである。
【課題を解決するための手段】
【０００７】
実施形態によれば、第１の電子機器と、第２の電子機器と、第３の電子機器とを具備するシステムであって、前記第１の電子機器は、第１の周波数帯域で通信可能な通信手段と第２の周波数帯域で通信可能な通信手段とを有する。前記第２の電子機器は、前記第１の周波数帯域で通信可能な通信手段と前記第２の周波数帯域で通信可能な通信手段とを有する。前記第３の電子機器は、前記第１の電子機器と前記第２の電子機器とが前記第１の周波数帯域で相互に無線通信可能である否かを判定する第１のテストを実行させるための第１の指示を少なくとも前記第１の電子機器及び前記第２の電子機器のいずれかに送信する。前記第１の指示を受信したいずれかの電子機器は、前記第１のテストを実行し、前記第１のテストの結果を前記第３の電子機器に送信する。
【図面の簡単な説明】
【０００８】
【図１】本実施形態における無線通信テストシステムによる無線通信テストの対象である通信ハブがネットワークに接続された状況の一例を示すブロック図である。
【図２】本実施形態における無線通信テストシステムの構成の一例を示す図である。
【図３】本実施形態におけるテスト機器の外観の一例を示す斜視図である。
【図４】本実施形態におけるテスト機器を横から見た内部の一例を示す図である。
【図５】本実施形態におけるテスト機器のブロック回路図の一例である。
【図６】本実施形態における無線通信テストシステムの機能構成を示すブロック図の一例である。
【図７】本実施形態におけるテスト機器が有するＷ／Ｂ  ＬＥＤ、ＺＢ  ＬＥＤ、Ｓ／Ｐ  ＬＥＤの点灯態様の一例を示す図である。
【図８】本実施形態における無線通信テストシステムが実行するテスト前設定動作を示すシーケンス図の一部である。
【図９】本実施形態における無線通信テストシステムが実行するテスト前設定動作を示すシーケンス図の残りの一部である。
【図１０】本実施形態における無線通信テストシステムによってテスト前設定動作が実行される場合に、操作端末の表示部に表示される画面の一例を示す図である。
【図１１】本実施形態における無線通信テストシステムが実行する無線通信テストに関する動作を示すシーケンス図である。
【図１２】本実施形態における無線通信テストシステムが実行する無線通信テストに関する動作を示すシーケンス図の残りの一部である。
【図１３】本実施形態における無線通信テストシステムによって無線通信テストに関する動作が実行されている場合に、操作端末の表示部に表示される画面の一例を示す図である。
【図１４】本実施形態における、イニシエータ機器に設定されたテスト機器が実行する無線通信テストについて示すフローチャートである。
【図１５】本実施形態における、ビーコン機器に設定されたテスト機器が実行する、無線通信テストに応答する動作を示すフローチャートである。
【図１６】本実施形態における、無線通信テストシステムによって実行される無線通信テストの内容の更新に関する動作を示すシーケンス図である。
【図１７】本実施形態における、サービスバンがイニシエータ機器に設定されたテスト機器から無線通信テストの結果を取得する動作を示すシーケンス図である。
【図１８】本実施形態における、サービスバンが操作端末から無線通信テストの結果を取得する動作を示すシーケンス図である。
【発明を実施するための形態】
【０００９】
以下、図面を参照しながら実施形態について説明する。  
【００１０】
図１は、テスト機器によって無線通信テストを行う対象である通信ハブ２０がネットワークに接続された状況の一例を示すブロック図である。
【００１１】
各家庭には、水道メータ１、ガスメータ２、電気メータ３等の各種メータが設置されている。水道メータ１の使用量データ、ガスメータ２の使用量データ、電気メータ３の検針データは、無線通信により通信ハブ（ＣＨ）２０に送信される。通信ハブ２０は、家庭に１台設けられている。
【００１２】
詳しく説明すると、水道メータ１からの水道の使用量データ、ガスメータ２からのガスの使用量データ、電気メータ３からの検針データはそれぞれのメータに含まれるジグビー（ＺｉｇＢｅｅ（登録商標））デバイスから通信ハブ２０に送信される。そして、水道の使用量データ、ガスメータ２からのガスの使用量データ、電気メータ３の検針データは、通信ハブ２０に備えられているジグビーデバイスを介して受信される。
【００１３】
なお、ガスメータ２は屋外や地下等に設置されることがある。また、通信ハブ２０には、ＩＨＤ（In Home Display）４が無線接続されている。ＩＨＤ（In Home Display）４は表示装置であり、ＩＨＤ４には通信ハブ２０を通じて受信した各種メータ（水道メータ１、ガスメータ２、電気メータ３）からの検針データが表示される。このとき、通信ハブ２０のジグビーデバイスから送られてきた検針データは、ＩＨＤ４に備えられているジグビーデバイスを介して受信される。
【００１４】
ＨＥＭＳ(Home Energy Management System)１５が通信ハブ２０に接続されてもよい。通信ハブ２０は、各メータから受信した検針データを無線で集約し、定期的（例えば３０分間隔）にインターネット５０を介して電力会社のサーバ６１、水道会社のサーバ６２、ガス会社のサーバ６３ヘと送信する。
【００１５】
携帯電話回線が弱いエリア（セルラー（ｃｅｌｌｕｌａｒ）ネットワークが混雑するエリアやセルラー（ｃｅｌｌｕｌａｒ）ネットワークが届きにくいエリア）、あるいは存在しない郊外では、通信ハブからネットワークへの通信方式は、IEEE802.15.4規格の無線マルチホップ方式が採用されてもよい。無線マルチホップ方式とは、通信可能な他の通信ハブを順々にマルチホップして図示せぬゲートウェイと呼ばれる通信ハブまでデータを送信するものである。このように、１つのスマートメータ(ゲートウェイ)以下に複数のスマートメータがメッシュ状にネットワーク接続され、通信可能な通信ハブが選ばれてゲートウェイまでのルートが都度決定される。ゲートウェイは２Ｇ／３Ｇ等の携帯電話回線を介して無線基地局４０に接続される。墓地局４０は通信事業者６０及びインターネット５０を介して電力会社のサーバ６１、水道会社のサーバ６２、ガス会社のサーバ６３に接続される。
【００１６】
通信事業者６０は、通信ハブ２０及び基地局４０を介して各メータから使用量データを取得する。ここで、通信事業者６０は、通信ハブ２０を経由して各メータに指示を出すことで、水道メータ１から水道の使用量データを、ガスメータ２からガスの使用量データを、電気メータ３から検針データを取得する。また、通信事業者６０は、電力会社６１、水道会社６２、ガス会社６３からの要求により、料金を滞納している家庭における電気、水道、ガスの使用を停止する。ここで、通信事業者６０は、水道メータ１、ガスメータ２、電気メータ３に指示を出すことで、水道、ガス、電気の使用を停止することができる。  通信ハブ２０は複数、例えば３つの無線通信デバイス、例えば２Ｇ／３Ｇデバイス、ジグビーデバイス、ＲＦメッシュデバイス(1EEE802.15.4規格のメッシュネットワーク)を含む。このうち、ジグビーデバイスは各種メータから検針データを受信するためのものであり２Ｇ／３ＧデバイスとＲＦメッシュデバイスは各種メータから受信した検針データをネットワーク側へ送信するためのものである。２Ｇ／３Ｇデバイスは携帯電話回線を用いて通信するものである。ＲＦメッシュデバイスはメータ(通信ハブ２０)間をマルチホップして通信するものであり、携帯電話回線が弱いエリア、あるいは存在しない郊外で主に採用される。なお、ネットワークとの通信は無線に限らず、電力線を用いた通信でもよい。電力線を用いた通信はマンション、ビル等の大型の建物で主に採用される。ネットワークとの通信に使うデバイスは、通信ハブの設置環境に応じて選択される。
【００１７】
無線マルチホップ方式は携帯電話回線が弱い、あるいは存在しない郊外での通信ハブ間の通信に使用される。墓地局４０の電波が届く範囲にある通信ハブ２０はダイレクトに２Ｇ／３Ｇの携帯電話回線を介して基地局４０に接続されてもよい。さらに、ネットワークとの通信は無線に限らず、電力線を用いた通信でもよい。電力線を用いた通信はマンション、ビル等の大型の建物で主に採用される。
【００１８】
ジグビーデバイスは、ジグビーデバイスに備えられているアンテナを介して各種メータに対して、相互に通信することにより、各種メータからの検針データを受信する。またＲＦメッシュデバイスは、受信した検針データをアンテナを介して他の通信ハブ２０のＲＦメッシュデバイスを経由(ホップ)してゲートウェイ３０ヘ検針データを送信する。
【００１９】
ＲＦメッシュデバイスもアンテナを介して他の通信ハブ２０と無線メッシュネットワークを形成して、ゲートウェイ３０ヘ検針データを送信する。
【００２０】
なお、通信ハブ２０には、シングルバンド機器とデュアルバンド機器とがある。シングルバンド機器は、ある一つの周波数帯域に対応可能なジグビーデバイスを備えており、その周波数帯域で各種メータ等と相互に無線通信する。デュアルバンド機器は、異なる複数の周波数帯域に対応可能なジグビーデバイスを備えており、各種メータ等との距離や通信速度、周囲のノイズ等の状況に応じてジグビーデバイスが対応可能な複数の周波数帯域のいずれかで各種メータ等と相互に無線通信する。
【００２１】
例えば、シングルバンド機器は、２．４ＧＨｚの周波数帯域で無線通信することを可能にするジグビーデバイスを備えている。２．４ＧＨｚの電波は直進性に優れているが、壁等の遮蔽物により電波の伝搬が妨げられるので、８６８ＭＨｚの周波数帯域で無線通信することを可能にするジグビーデバイスが提案されている。デュアルバンド機器は、例えば、２．４ＧＨｚ及び８６８ＭＨｚの周波数帯域による無線通信を可能にするジグビーデバイスを備え、２．４ＧＨｚの周波数帯域又は８６８ＭＨｚの周波数帯域のいずれかで無線通信する。同様に、各種メータ（水道メータ１、ガスメータ２、電気メータ３）、ＩＨＤ４にもシングルバンド機器とデュアルバンド機器とがある。
【００２２】
以下において、シングルバンド機器は、２．４ＧＨｚの周波数帯域で無線通信することを可能にするジグビーデバイスを備え、デュアルバンド機器は、２．４ＧＨｚ及び８６８ＭＨｚの周波数帯域による無線通信を可能にするジグビーデバイスを備えることとして説明する。
【００２３】
なお、シングルバンド機器とデュアルバンド機器を用いる代わりに、２．４ＧＨｚの周波数帯域による無線通信を可能にするジグビーデバイスを備える第１のシングルバンド機器と、８６８ＭＨｚの周波数帯域による無線通信を可能にするジグビーデバイスとを備える第２のシングルバンド機器とを用いてもよい。
【００２４】
作業者は、家庭等の建物に通信ハブ２０や各種メータ、ＩＨＤ４を設置する前に、以下で説明するテスト機器を使用して無線通信テストを行うことで、通信ハブ２０と各種メータ、ＩＨＤ４それぞれの間で相互に通信可能な周波数帯域を知ることができる。これにより、作業者は、シングルバンド機器とデュアルバンド機器のいずれを設置するべきかについて知ることができる。
【００２５】
図２は、無線通信テストシステム１００の構成の一例を示す図である。
【００２６】
無線通信テストシステム１００は、テスト機器１０１，１０２，１０３、操作端末１０４、サービスバン１０５、サーバ１０６から構成されている。なお、サービスバン１０５及びサーバ１０６は、必ずしも無線通信テストシステム１００に含まれていなくともよい。
【００２７】
テスト機器１０１，１０２，１０３は、テストしたい機器（図２では、ガスメータ２、ＩＨＤ４、通信ハブ２０）の代わりに無線通信テストを実行するために使用される。テスト機器１０１，１０２，１０３は、いずれがガスメータ２、ＩＨＤ４、通信ハブ２０の代わりとして使用されてもよく、同一の構成でもよい。テスト機器１０１，１０２，１０３の外観も同一でもよい。テスト機器１０１，１０２，１０３は、２．４ＧＨｚ及び８６８ＭＨｚの周波数帯域による無線通信を可能にするジグビーデバイスを備える。作業者はガスメータ２、ＩＨＤ４、通信ハブ２０の設置前に無線通信テストを行う際、通信ハブ２０の設置予定場所又はその近傍と、ガスメータ２又はＩＨＤ４の設置予定場所又はその近傍とにテスト機器を置く。そして、通信ハブ２０の設置予定場所又はその近傍に置いたテスト機器と、メータ又はＩＨＤ４設置予定場所又はその近傍に置いたテスト機器との間の無線通信テストが実行され、通信ハブ２０とガスメータ２又はＩＨＤ４がどの周波数帯域で無線通信が可能であるかが分かる。
【００２８】
図２では、テスト機器１０１，１０２，１０３は、それぞれ通信ハブ２０、ガスメータ２、ＩＨＤ４の設置予定場所又はその近傍に配置されて、テスト機器１０１とテスト機器１０２との間の無線通信テスト、テスト機器１０１とテスト機器１０３との間の無線通信テストが実行される。テスト機器１０１は、テスト機器１０２，１０３それぞれに対してジグビーを利用した相互の通信が可能である。
【００２９】
なお、図２にはガスメータ２の設置予定場所又はその近傍にテスト機器１０２が置かれていることが示されているが、水道メータ１の設置予定場所又はその近傍や電気メータ３の設置予定場所又はその近傍にテスト機器１０２が置かれてもよい。そして、テスト機器１０２と、通信ハブ２０の設置予定場所又はその近傍に置かれたテスト機器１０１との間の無線通信テストが実行されてもよい。
【００３０】
操作端末１０４は、スマートフォンなどの無線通信機能を有する端末機器であり、テスト機器１０１，１０２，１０３それぞれに対してはブルートゥース（登録商標）やワイファイ（Ｗｉ―Ｆｉ（登録商標））、サービスバン１０５に対してはブルートゥースやワイファイ、サーバ１０６に対しては３Ｇ／ＬＴＥを利用して相互に通信することができる。
【００３１】
操作端末１０４は、通信ハブ２０や各種メータ、ＩＨＤ４を設置する作業者によって携帯される。操作端末１０４は、テスト機器１０１，１０２，１０３のモード設定を行ったり、いずれかのテスト機器、例えば通信ハブ２０の設置予定場所又はその近傍に置かれたテスト機器１０１に無線通信テストを実行させるための指示を送信したりする。操作端末１０４は表示部１０４ａを備える。また、操作端末１０４は、無線通信機能を有するパーソナルコンピュータ（ＰＣ）であってもよい。以下では操作端末１０４はスマートフォンであるとして説明する。
【００３２】
サービスバン１０５は、ガスメータ２、ＩＨＤ４、通信ハブ２０を設置する現場に作業者が出張する際に運転する車であり、データを集約したり、サーバ１０６とデータのやり取りを行うことができるシステムを有する。サービスバン１０５が集約するデータには、テスト機器によって実行された無線通信テストの結果や、無線通信テストの内容、更新された無線通信テストの内容等が含まれる。サービスバン１０５とサーバ１０６間では、３Ｇ／ＬＴＥを利用した通信によりデータのやり取りが行われる。無線通信テストの内容、更新された無線通信テストの内容については後述する。また、サービスバン１０５と、テスト機器１０１，１０２，１０３とはワイファイやブルートゥースにより相互に通信可能である。
【００３３】
サーバ１０６は、図１に示した電力会社のサーバ６１、水道会社のサーバ６２、ガス会社のサーバ６３に対応する。サーバ１０６には、各メータから受信した検針データだけでなく、無線通信テストの内容、更新された無線通信テストの内容、サービスバン１０５や操作端末１０４からアップロードされた無線通信テストの結果、無線通信テストに関する情報等も集約され、記憶されている。
【００３４】
図３は、テスト機器１０１，１０２，１０３の外観の一例を示す斜視図である。テスト機器１０１の外観は、上部に突起を有する略直方体である。
【００３５】
以下の説明では、参照数字の後ろの添え字“ａ”はテスト機器１０１の構成要素であることを示し、添え字“ｂ”はテスト機器１０２の構成要素であることを示し、添え字“ｃ”はテスト機器１０３の構成要素であることを示す。テスト機器１０１の上側の面には、ＬＥＤ／ボタンエリア１１６ａがあり、ＬＥＤ／ボタンエリア１１６ａ内には、ワイファイ／ブルートゥースＬＥＤ（Ｗ／Ｂ  ＬＥＤ）１１１ａ、ジグビーＬＥＤ（ＺＢ  ＬＥＤ）１１２ａ、システム／電源状態ＬＥＤ（Ｓ／Ｐ  ＬＥＤ）１１３ａ、コネクトボタン１１４ａ、電源ボタン１１５ａが位置する。Ｗ／Ｂ  ＬＥＤ１１１は、様々な態様で点灯することでテスト機器１０１のジグビー通信状態を作業者に知らせる。ＺＢ  ＬＥＤ１１２ａは、様々な態様で点灯することでテスト機器１０１のジグビー通信状態を作業者に知らせる。Ｓ／Ｐ  ＬＥＤ１１３ａは、様々な態様で点灯することでテスト機器１０１のオン／オフやバッテリの状態を作業者に知らせる。
【００３６】
コネクトボタン１１４ａは、他のテスト機器との無線通信リンクを確立させるためのスイッチである。また、コネクトボタン１１４ａを押下することで、他のテスト機器とジグビー通信の測定を行うことができる。
【００３７】
電源ボタン１１５ａは、テスト機器１０１の電源をオン／オフするためのボタンである。
【００３８】
コネクタ端子１２３ａは、外部の機器と接続する際の端子の差込口である。例えば、コネクタ端子１２３ａは、ＵＳＢ規格に対応するものであってもよい。
【００３９】
図４は、テスト機器１０１，１０２，１０３を横から見た内部の一例を示す図である。ここでは、テスト機器１０１について説明する。
【００４０】
テスト機器１０１には、ＬＥＤ／ボタンエリア１１６ａ、ジグビーアンテナ（ＺＢアンテナ）１２１ａ、ワイファイ／ブルートゥースアンテナ（Ｗ／Ｂアンテナ）１２２ａ、コネクタ端子１２３ａ、バッテリ１２４ａ等が備えられている。
【００４１】
ボタン／ＬＥＤエリア１１６ａには、上述したようにＷ／Ｂ  ＬＥＤ１１１ａ、ＺＢ  ＬＥＤ１１２ａ、Ｓ／Ｐ  ＬＥＤ１１３ａ、コネクトボタン１１４ａ、電源ボタン１１５ａが位置する。
【００４２】
ＺＢアンテナ１２１ａは、テスト機器１０１が他の通信機器に対して、相互にジグビー通信する際に使用されるアンテナである。テスト機器１０１は、テスト信号等の各種信号をジグビー通信する際に、ＺＢアンテナ１２１ａを介して送信する。
【００４３】
Ｗ／Ｂアンテナ１２２ａは、テスト機器１０１が他の通信機器に対して、相互にワイファイ通信やブルートゥース通信する際に使用されるアンテナである。テスト機器１０１は、テスト結果等のデータをワイファイ又はブルートゥースを利用して送信する際に、Ｗ／Ｂアンテナ１２１ａを介して送信する。
【００４４】
バッテリ１２４ａはテスト機器１０１の動作に必要な電力を供給する。また、バッテリ１２４ａは充電可能な電池（充電池）であり、後述する充電器１３２ａにより充電される。
【００４５】
図５は、テスト機器１０１，１０２，１０３のブロック図の一例である。ここでは、テスト機器１０１について説明する。
【００４６】
コネクタ端子１２３ａにＵＳＢケーブルが接続されると、＋５Ｖ電源は充電器１３２ａに供給され、Ｄ＋／Ｄ−信号はＵＳＢディテクタ１３１ａに供給される。ＵＳＢディテクタ１３１ａは、コネクタ端子１２３ａにＵＳＢケーブルが接続されると、ＤＣＰ＿ＤＥ信号を充電器１３２ａに供給する。充電器１３２ａはＤＣＰ＿ＤＥ信号を受信すると、バッテリ１２４ａを大電流で急速充電することができる。
【００４７】
充電器１３２ａがバッテリ１２４ａを充電する際の電圧（バッテリ電圧ＶＢＡＴ）は、４．３５Ｖ−３．５Ｖである。充電器１３２ａはシステム電圧ＶSYSをＤＣ／ＤＣコンバータ１３３ａへ供給する。ＤＣ／ＤＣコンバータ１３３ａは３．３Ｖ電圧をテスト機器１０１内の各デバイスに供給す。ゲージデバイス１３４ａは、バッテリ１２４ａの残量を測定する装置である。ここで測定された残量に応じてＳ／Ｐ  ＬＥＤ１１３ａの点灯態様が変化する。
【００４８】
スイッチ１４４ａはコネクトボタン１１４ａに対応して設けられている。  
【００４９】
スイッチ１４５ａは電源ボタン１１５ａに対応して設けられている。電源ボタン１１５ａが押下されると、スイッチ１４５ａのオン／オフが切り換えられ、メインＭＣＵ１３６ａは、スイッチ１４５ａのオン／オフに応じて、電源のオン／オフを切り替える。
【００５０】
ロングプレスリセットデバイス１４０ａは、電源ボタン１１５ａが長押しされたことを検出すると、リセット信号をメインＭＣＵ１３６ａへ供給する。
【００５１】
記憶デバイス１３７ａには、無線通信テストの内容、無線通信テストの結果、他のテスト機器の識別番号、リンク設定に成功したチャネル番号等のデータ、プログラム１３８ａが記憶されている。記憶デバイス１３７ａの一例はフラッシュメモリである。
【００５２】
メインＭＣＵ（main micro controller unit）１３６ａは、テスト機器１０１の制御全般を行う。メインＭＣＵ１３６ａは、記憶デバイス１３７ａに記憶されたプログラム１３８ａを読み出すことにより、種々の動作、例えばテスト前設定動作に関する動作、無線通信テストに関する動作、無線通信テストの内容の更新に関する動作、テスト結果のサービスバン１０５への送信に関する動作を実行する。メインＭＣＵ１３６ａについての詳細は後述する。
【００５３】
ＺＢデバイス１３９ａは、テスト機器１０１が外部の機器に対して、相互にジグビー通信するための通信手段であり、ＺＢアンテナ１２１ａを通じて外部の機器に対して、ジグビー通信する。ここでいう外部の機器とは、他のテスト機器のことである。ＺＢデバイス１３９ａはジグビー通信をする際、２．４ＧＨｚの周波数帯域で行うことができる。また、ＺＢデバイス１３９ａは、８６８ＭＨｚの周波数帯域でジグビー通信を行うこともできる。なお、図５には、２．４ＧＨｚの周波数帯域と８６８ＭＨｚの周波数帯域の両方で通信可能なＺＢデバイス１３９ａ及びＺＢアンテナ１２１ａを示したが、テスト機器１０１は、２．４ＧＨｚの周波数帯域のみで通信可能なＺＢデバイス及びＺＢアンテナと、８６８ＭＨｚの周波数帯域のみで通信可能なＺＢデバイス及びＺＢアンテナをそれぞれ備えていてもよい。
【００５４】
テスト機器１０１は、外部の機器とワイファイ通信又はブルートゥース通信を行うことができる。ワイファイ通信又はブルートゥース通信の選択は操作端末１０４により決められる。操作端末１０４からブルートゥース接続された場合、テスト機器１０１はＷ／Ｂアンテナ１２２ａを介して操作端末１０４とブルートゥース通信することができ、操作端末１０４からワイファイ接続された場合、テスト機器１０１はＷ／Ｂアンテナ１２２ａを介して操作端末１０４とワイファイ通信することができる。
【００５５】
メインＭＣＵ１３６ａには、Ｗ／Ｂ  ＬＥＤ１１１ａ、ＺＢ  ＬＥＤ１１２ａ、Ｓ／Ｐ  ＬＥＤ１１３ａが接続されており、メインＭＣＵ１３６ａによって各ＬＥＤの点灯の態様が制御される。
【００５６】
図６は、無線通信テストシステム１００の機能構成を示すブロック図の一例である。
【００５７】
操作端末１０４は、制御デバイス５００、通信デバイス５１０、記憶デバイス５２０、表示部１０４ａ等を備える。
【００５８】
制御デバイス５００は、操作端末１０４の制御全般を行う。制御デバイス５００は、記憶デバイス５２０に記憶されたプログラム５２１を読み出すことにより、テスト前設定動作に関する動作、無線通信テストに関する動作、無線通信テストの内容の更新に関する動作、テスト結果のサービスバン１０５への送信に関する動作等を実行する。制御デバイス５００は、無線通信テストシステムを実現する機能部として、通信制御部５０１、設定部５０２、指示送信部５０３、テスト結果受信部５０４、表示制御部５０５、更新指示部５０６、テスト結果送信部５０７、アップロード部５０８を備える。
【００５９】
通信制御部５０１は、操作端末１０４とテスト機器１０１，１０２，１０３との通信を確立するための動作を行う。
【００６０】
設定部５０２は、テスト機器１０１，１０２，１０３を第１のモード又は第２のモードに設定する。このとき、複数のテスト機器の中の１つを第１のモードに設定し、残りのテスト機器を第２のモードに設定する。第１のモードは、操作端末１０４からのテスト指示に基づいて無線通信テストを実行するためのモードである。テスト指示とは、無線通信テストを実行させるための指示のことである。以下、第１のモードに設定されたテスト機器をイニシエータ機器とも呼ぶ。
【００６１】
第２のモードは、イニシエータ機器からテスト信号を受信したとき、テスト信号の受信度に応じて応答信号をイニシエータ機器に送信するためのモードである。テスト信号とは、無線通信テストが実行される際、イニシエータ機器からビーコン機器に送信されるテスト用の信号のことである。応答信号については後述する。以下、第２のモードに設定されたテスト機器をビーコン機器とも呼ぶ。図６にはテスト機器１０１がイニシエータ機器、テスト機器１０２が第１のビーコン機器、テスト機器１０３が第２のビーコン機器として機能する場合について示されている。
【００６２】
指示送信部５０３は、イニシエータ機器１０１とビーコン機器とが２．４ＧＨｚの周波数帯域で相互に無線通信可能であるか否かを判定するテストを実行させるためテスト指示をイニシエータ機器１０１に送信する。また、指示送信部５０３は、イニシエータ機器１０１とビーコン機器とが８６８ＭＨｚの周波数帯域で相互に無線通信可能であるか否かを判定するテストを実行させるためのテスト指示をイニシエータ機器１０１に送信する。さらに、指示送信部５０３はイニシエータ機器１０１によって実行されている無線通信テストを終了させるための指示をイニシエータ機器１０１に送信する。
【００６３】
テスト結果受信部５０４は、イニシエータ機器１０１によって実行された無線通信テストの結果をイニシエータ機器１０１から受信する。
【００６４】
表示制御部５０５は、表示部１０４ａに各種画面を表示させる。なお、表示部１０４ａは、入力手段の機能も備えており、タッチ操作を検出することができる。操作端末１０４がキーボードを備えるＰＣの場合は、表示部１０４ａは入力手段の機能を備えなくてもよい。
【００６５】
更新指示部５０６は、イニシエータ機器１０１が実行するテスト内容の更新指示（テスト内容更新指示）をイニシエータ機器１０１に送信する。更新指示には、記憶デバイス５２０に記憶されている更新された無線通信テストの内容が含まれる。この更新された無線通信テストの内容は、サーバ１０６からダウンロードしたものであってもよく、サービスバン１０５から送られてきたものであってもよい。
【００６６】
テスト結果送信部５０７は、イニシエータ機器１０１から取得した無線通信テストの結果をサービスバン１０５に送信する。
【００６７】
アップロード部５０８は、イニシエータ機器１０１から取得した無線通信テストの結果をサーバ１０６にアップロードする。
【００６８】
通信デバイス５１０は、操作端末１０４が外部の機器に対して、相互に通信を行うための通信手段である。通信デバイス５１０は、３Ｇ／ＬＴＥなどの携帯電話通信機能の他、ワイファイ通信機能、ブルートゥース通信機能を利用して外部の機器に対して、相互に通信することができる。ここでいう外部の機器とは、テスト機器１０１，１０２，１０３、サービスバン１０５、サーバ１０６等である。
【００６９】
記憶デバイス５２０には、イニシエータ機器から受信した無線通信テストの結果、無線通信テストの内容、更新された無線通信テストの内容、無線通信テストに用いるテスト機器の識別番号等のデータ、上述したプログラム５２１が記憶されている。
【００７０】
サービスバン１０５は、制御デバイス６００、通信デバイス６１０、記憶デバイス６２０等を備える。
【００７１】
制御デバイス６００は、サービスバン１０５の制御全般を行う。制御デバイス６００は、記憶デバイス６２０に記憶されたプログラム６２１を読み出すことにより、無線通信テストの内容の更新に関する動作、無線通信テストの収集及び処理に関する動作等を実行する。制御デバイス６００は、無線通信テストシステムを実現する機能部として、テスト結果取得部６０１、アップロード部６０２、テスト内容送信部６０３を備える。
【００７２】
テスト結果取得部６０１は、無線通信テストの結果を操作端末１０４又はイニシエータ機器１０１から取得する。
【００７３】
アップロード部６０２は、イニシエータ機器１０１又は操作端末１０４から取得した無線通信テストの結果をサーバ１０６にアップロードする。
【００７４】
テスト内容送信部６０３は、イニシエータ機器１０１が実行すべき更新された無線通信テストの内容を操作端末１０４に送信する。この更新された無線通信テストの内容は、サーバ１０６からダウンロードしたものであってもよい。
【００７５】
通信デバイス６１０は、サービスバン１０５が外部の機器に対して、相互に通信を行うための通信手段である。通信デバイス６１０は、３Ｇ／ＬＴＥなどの携帯電話通信機能の他、ワイファイ通信機能、ブルートゥース通信機能等を利用して外部の機器に対して、相互に通信することができる。外部の機器とは、イニシエータ機器１０１、操作端末１０４、サーバ１０６等のことである。
【００７６】
記憶デバイス６２０には、更新された無線通信テストの内容を含む無線通信テストの内容、無線通信テストの結果等のデータ、上述したプログラム６２１が記憶されている。
【００７７】
テスト機器１０１のメインＭＣＵ１３６ａは、テスト前設定動作に関する動作や無線通信テストに関する動作、無線通信テストの内容の更新に関する動作、テスト結果のサービスバン１０５への送信に関する動作等を実行する機能部として、設定受付部３０１ａ、通信制御部３０２ａ、テスト指示受信部３０３ａ、テスト実行部３０４ａ、テスト結果送信部３０５ａ、点灯制御部３０６ａ、応答部３０７ａ、テスト内容更新部３０８ａ、ワイファイ／ブルートゥース（Ｗ／Ｂ）通信部３０９ａ等を備える。
【００７８】
設定受付部３０１ａは、操作端末１０４から送られてくるモード設定信号に従ってテスト機器１０１のモードを設定する。
【００７９】
通信制御部３０２ａは、操作端末１０４によってテスト機器１０１がイニシエータ機器に設定された場合、第１のビーコン機器１０２、第２のビーコン機器１０３それぞれに対する無線通信状態を確立するための動作を行う。このとき、通信制御部３０２ａはＺＢデバイス１３９ａを制御することで、ＺＢアンテナ１２１ａを通じて第１のビーコン機器１０２、及び第２のビーコン機器１０３それぞれに対する無線通信状態を確立する。
【００８０】
テスト指示受信部３０３ａは、操作端末１０４からのテスト指示を受信する。
【００８１】
テスト実行部３０４ａは、操作端末１０４からのテスト指示に基づいて無線通信テストを実行する。テスト実行部３０４ａは、テスト指示が２．４ＧＨｚの周波数帯域で無線通信テストを実行させるためのものであれば、２．４ＧＨｚの周波数帯域で無線通信テストを実行し、テスト指示が８６８ＭＨｚの周波数帯域で通信テストを実行させるためのものであれば８６８ＭＨｚの周波数帯域で無線通信テストを実行する。
【００８２】
テスト結果送信部３０５ａは、テスト実行部３０４ａによって実行された無線通信テストの結果を操作端末１０４に送信する。また、テスト結果送信部３０５ａは無線通信テストの結果をサービスバン１０５に送信する。
【００８３】
点灯制御部３０６ａは、Ｗ／Ｂ  ＬＥＤ１１１ａ、ＺＢ  ＬＥＤ１１２ａ、Ｓ／Ｐ  ＬＥＤ１１３ａを予め定められた態様で点灯させる。
【００８４】
応答部３０７ａは、操作端末１０４によってテスト機器１０１がビーコン機器に設定された場合、イニシエータ機器からのテスト信号を受信すると、テスト信号の受信度に応じた応答信号をイニシエータ機器に送信する。イニシエータ機器からのテスト信号がすべて正常に受信される場合（受信度が高い場合）もあれば、テスト信号の一部のみが正常に受信される場合（受信度が低い場合）もある。また、イニシエータ機器がテスト信号を送信してもビーコン機器に全く受信されない場合（受信度がゼロ）もあり得る。ここでは、応答部３０７ａは、受信度が高い場合と受信度が低い場合とで異なる内容の応答信号をイニシエータ機器に送信する。
【００８５】
テスト内容更新部３０８ａは、無線通信テストの内容の更新指示（テスト内容更新指示）を操作端末１０４から受信すると、その更新指示に基づいて無線通信テストの内容を新たな内容に更新する。
【００８６】
Ｗ／Ｂ通信部３０９ａは、外部の機器とのワイファイ通信、及びブルートゥース通信を制御する。Ｗ／Ｂ通信部３０９ａは、Ｗ／Ｂアンテナ１２２ａを通じて外部の機器に対して、相互にワイファイ通信、及びブルートゥース通信を行う。
【００８７】
図７は、テスト機器１０１，１０２，１０３が有するＷ／Ｂ  ＬＥＤ１１１ａ，１１１ｂ，１１１ｃ、ＺＢ  ＬＥＤ１１２ａ，１１２ｂ，１１２ｃ、Ｓ／Ｐ  ＬＥＤ１１３ａ，１１３ｂ，１１３ｃの点灯態様の一例を示す図である。点灯態様には、点滅の有無、点滅の周波数、点灯するときの色等が含まれる。ここでは、テスト機器１０１について説明する。
【００８８】
図７（ａ）には、Ｗ／Ｂ  ＬＥＤ１１１ａの点灯態様について、テスト機器がＡＣモード時のシステムオン、ＡＣモード時のシステムオフ、バッテリモード時のシステムオン、バッテリモード時のシステムオフの状態毎に示されている。
【００８９】
ＡＣモードは、外部の電源から電力が供給されており、その際に供給される電力でテスト機器が動作することができるモードのことである。また、供給された電力をバッテリ１２４ａに供給し、バッテリの充電を行うモードである。バッテリモードは、外部の電源から電力が供給されておらず、バッテリ１２４ａから供給される電力によってテスト機器が動作することができるモードのことである。
【００９０】
また、図７（ａ）には、Ｗ／Ｂ  ＬＥＤ１１１ａの点灯態様について、テスト機器１０１が、無線通信オフ、ペアリング中（通信接続中）、ペアリング完了（通信接続完了）、データ転送中、データ転送完了、エラーの各状態に分けて示されている。ここでいう無線通信とは、ワイファイ又はブルートゥース通信機能による無線通信のことである。ペアリングとは、外部の機器に対して通信状態を確立する動作のことである。ここでいうエラーとは、ワイファイ又はブルートゥース通信が失敗した状態のことである。
【００９１】
例えば、テスト機器１０１がシステムオンの状態であり、他のテスト機器とワイファイ又はブルートゥース通信機能によるペアリング中（通信接続中）である場合、Ｗ／Ｂ  ＬＥＤ１１１ａは、テスト機器１０１がＡＣモードであるかバッテリモードであるかを問わず、琥珀色又は緑色でかつ低周波数で点滅する。なお、Ｗ／Ｂ  ＬＥＤ１１１ａは、琥珀色による点灯と緑色による点灯とを交互に繰り返す態様により、低周波数で点滅してもよい。
【００９２】
なお、「オン」とは、Ｗ／Ｂ  ＬＥＤ１１１ａが点灯した状態のことであり、「オフ」とは、Ｗ／Ｂ  ＬＥＤ１１１ａが消灯した状態のことである。本明細書中において点灯とは、点滅せずに点灯した状態を維持することをいう。
【００９３】
また、テスト機器１０２，１０３におけるＷ／Ｂ  ＬＥＤ１１１ｂ，１１１ｃもＷ／Ｂ  ＬＥＤ１１１ａと同様の点灯態様である。
【００９４】
図７（ｂ）には、ＺＢ  ＬＥＤ１１２ａの点灯態様について、テスト機器１０１がＡＣモード時のシステムオン、ＡＣモード時のシステムオフ、バッテリモード時のシステムオン、バッテリモード時のシステムオフの状態毎に示されている。
【００９５】
また、図７（ｂ）には、ＺＢ  ＬＥＤ１１２ａの点灯態様について、テスト機器１０１がジグビーによる無線通信オフ、ペアリング中、ペアリング完了、データ転送中（テストを含む）、データ転送完了、エラーの各状態に分けて示されている。ここでいうエラーとは、ジグビー通信が失敗した状態のことである。
【００９６】
例えば、テスト機器１０１がシステムオンの状態であり、他のテスト機器とジグビー通信によるペアリング中である場合、ＺＢ  ＬＥＤ１１２ａは、テスト機器１０１がＡＣモードであるかバッテリモードであるかを問わず、緑色でかつ低周波数で点滅する。
【００９７】
なお、テスト機器１０２，１０３におけるＺＢ  ＬＥＤ１１１ｂ，１１１ｃもＺＢ  ＬＥＤ１１１ａと同様の点灯態様である。
【００９８】
図７（ｃ）には、Ｓ／Ｐ  ＬＥＤ１１３ａの点灯態様について、テスト機器がＡＣモード時のシステムオン、ＡＣモード時のシステムオフ、バッテリモード時のシステムオン、バッテリモード時のシステムオフの状態毎に示されている。
【００９９】
また、図７（ｃ）には、Ｓ／Ｐ  ＬＥＤ１１３ａの点灯態様について、テスト機器１０１が、電源オン、電源オフ、バッテリ充電中、バッテリがフル充電、ローバッテリ、システムエラーの各状態に分けて示されている。
【０１００】
例えば、テスト機器１０１が電源オンの状態である場合、Ｓ／Ｐ  ＬＥＤ１１３ａは、テスト機器がＡＣモードであるかバッテリモードであるかを問わず、緑色で点灯する。テスト機器がＡＣモード時のシステムオフの状態であり、バッテリ１２４ａが充電中の場合、Ｓ／Ｐ  ＬＥＤ１１３ａは、琥珀色かつ低周波数で点滅する。テスト機器がＡＣモード時のシステムオフの状態であり、バッテリ１２４ａがフル充電状態の場合、Ｓ／Ｐ  ＬＥＤ１１３ａは、琥珀色に点灯する。テスト機器がバッテリモード時のシステムオンの状態であり、バッテリ１２４ａがローバッテリ状態の場合、Ｓ／Ｐ  ＬＥＤ１１３ａは、琥珀色でかつ高周波数で点灯する。テスト機器１０１がＡＣモード時又はバッテリモード時のシステムオン状態であり、システムエラー状態である場合、Ｓ／Ｐ  ＬＥＤ１１３ａは、緑色でかつ高周波数で点滅する。このように、Ｓ／Ｐ  ＬＥＤ１１３ａは、電源オン状態、バッテリ１２４ａの各充電状況、システムエラー状態のそれぞれで異なる態様により点灯する。
【０１０１】
なお、テスト機器１０２，１０３におけるＳ／Ｐ  ＬＥＤ１１１ｂ，１１１ｃもＳ／Ｐ  ＬＥＤ１１１ａと同様の点灯態様である。
【０１０２】
図８及び図９は、無線通信テストシステム１００が実行するテスト前設定動作を示すシーケンス図である。ここでは、作業者が３つのテスト機器１０１，１０２，１０３を用いてテスト前設定動作を行う場合を想定する。テスト前設定動作とは、無線通信テストを行う前に複数のテスト機器それぞれに対して行っておくべき設定動作のことである。
【０１０３】
作業者が操作端末１０４で所定の操作を行うと、表示制御部５０５は操作端末１０４の表示部１０４ａに図１０（ａ）に示す初期画面を表示する（ステップＡ１）。初期画面のスタートイニシエータボタン２０２については後述する。また、作業者は電源ボタン１１５ａ，１１５ｂ，１１５ｃを押下することで、テスト機器１０１，１０２，１０３の各電源をオンする（ステップＢ１，Ｃ１，Ｄ１）。
【０１０４】
作業者が初期画面のスタートペアリングボタン２０１をタッチすると（ステップＡ２）、表示制御部５０５は図１０（ｂ）に示すキャプチャ画面を表示部１０４ａに表示する（ステップＡ３）。
【０１０５】
次に、作業者はテスト機器１０１，１０２，１０３の１つをイニシエータ機器、残り２つをビーコン機器に決める。以下、作業者はテスト機器１０１をイニシエータ機器に、テスト機器１０２，１０３をそれぞれ第１のビーコン機器、第２のビーコン機器に決定したとして説明する。
【０１０６】
作業者は、テスト機器１０１，１０２，１０３の各識別番号を操作端末１０４に入力する（ステップＡ４）。このとき、例えば、作業者はキャプチャ画面上のイニシエータ機器の欄２１３をタッチしてテスト機器１０１の識別番号２１３ａを入力し、第１のビーコン機器の欄２１４をタッチしてテスト機器１０２の識別番号２１４ａを入力し、第２のビーコン機器の欄２１５をタッチしてテスト機器１０３の識別番号２１５ａを入力する。
【０１０７】
識別番号の入力については、例えば、テスト機器１０１，１０２，１０３には識別番号がバーコード印字されており、それを操作端末１０４で読み取ることで、操作端末１０４に識別番号が入力できることにしてもよい。また、作業者が手入力で操作端末１０４に各識別番号を入力できることにしてもよい。また、各識別番号をＮＦＣ（Near Field Communication）機能を利用して操作端末１０４に入力できるようにしてもよい。ここで、テスト機器１０１は、例えば、コネクトボタン１１４ａと電源ボタン１１５ａとを同時に長押した場合、テスト機器１０１のＮＦＣ機能が起動する構成であってもよい。ＮＦＣ機能の起動方法は、テスト機器１０２，１０３についても同様である。
【０１０８】
入力された識別番号２１３ａ，２１４ａ，２１５ａは、記憶デバイス５２０に記憶される。また、識別番号２１３ａ，２１４ａ，２１５ａが入力されると、キャプチャ画面上の欄２１３，２１４，２１５にはそれぞれ、テスト機器１０１，１０２，１０３の識別番号２１３ａ，２１４ａ，２１５ａが表示される。
【０１０９】
続いて、作業者がキャプチャ画面上のペアイニシャルボタン２１１をタッチすると（ステップＡ５）、操作端末１０４の通信制御部５０１は、通信デバイス５１０を介し、ブルートゥース経由で操作端末１０４とテスト機器１０１間、操作端末１０４とテスト機器１０２間及び操作端末１０４とテスト機器１０３間のリンクを作成する（ステップＡ６）。このリンク作成において、記憶デバイス５２０に記憶された識別番号２１３ａ，２１４ａ，２１５ａに基づいた機器名／パスワードが利用されてもよい。
【０１１０】
リンク作成の際に、設定部５０２は、テスト機器１０１を第１のモード（イニシエータ機器）に、テスト機器１０２，１０３を第２のモード（ビーコン機器）に設定する。詳しく説明すると、設定部５０２は、通信デバイス５１０を介して、テスト機器１０１に対して第１のモードに設定するための第１モード設定信号を送信し、テスト機器１０２，１０３に対して第２のモードに設定するための第２モード設定信号を送信する。テスト機器１０１において、設定受付部３０１ａは、第１モード設定信号を受信すると、第１モード設定信号に従ってテスト機器１０１を第１のモードに設定する。その後、設定受付部３０１ａは、モード設定が完了すると操作端末１０４にモード設定が完了した旨を示す第１モード設定完了信号を返す。テスト機器１０２，１０３において、設定受付部３０１ｂ，３０１ｃそれぞれは第２モード設定信号を受信すると、第２モード設定信号に従ってテスト機器１０２，１０３を第２のモードに設定する。そして、そのモード設定が完了すると、設定受付部３０１ｂ，３０１ｃはそれぞれ操作端末１０４にモード設定が完了した旨を示す第２モード設定完了信号を返す。
【０１１１】
ブルートゥース経由でのリンク作成中（ペアリング中）、テスト機器１０１では、点灯制御部３０６ａはＷ／Ｂ  ＬＥＤ１１１ａを緑色でかつ低周波数で点滅させ（ステップＢ２）、テスト機器１０２，１０３ではそれぞれ、点灯制御部３０６ｂ，３０６ｃがＷ／Ｂ  ＬＥＤ１１１ｂ，１１１ｃを緑色でかつ低周波数で点滅させる（ステップＣ２，Ｄ２）。ここで、Ｗ／Ｂ  ＬＥＤ１１１ａ，１１１ｂ，１１１ｃは緑色ではなく琥珀色で点滅してもよい（図７（ａ）参照）。なお、Ｗ／Ｂ  ＬＥＤ１１１ａ，１１１ｂ，１１１ｃは、琥珀色による点灯と緑色による点灯とを交互に繰り返す態様により、低周波数で点滅してもよい。
【０１１２】
操作端末１０４とテスト機器１０１とのリンク作成が成功すると、テスト機器１０１では点灯制御部３０６ａがＷ／Ｂ  ＬＥＤ１１１ａを緑色に点灯させる（ステップＢ３）。同様に、操作端末１０４とテスト機器１０２のリンク作成に成功すると、テスト機器１０２では、点灯制御部３０６ｂがＷ／Ｂ  ＬＥＤ１１１ｂを緑色に点灯させ（ステップＣ３）、操作端末１０４とテスト機器１０３のリンク作成に成功すると、テスト機器１０３では、点灯制御部３０６ｃがＷ／Ｂ  ＬＥＤ１１１ｃを緑色に点灯させる（ステップＤ３）。ここで、Ｗ／Ｂ  ＬＥＤ１１１ａ，１１１ｂ，１１１ｃは緑色ではなく琥珀色で点灯してもよい（図７（ａ）参照）。
【０１１３】
もし、操作端末１０４とテスト機器１０１のリンク作成に失敗したとき、点灯制御部３０６ａはＷ／Ｂ  ＬＥＤ１１１ａを緑色でかつ高周波数で点滅させてもよい。同様に操作端末１０４とテスト機器１０２のリンク作成に失敗したとき、点灯制御部３０６ｂはＷ／Ｂ  ＬＥＤ１１１ｂを緑色でかつ高周波数で点滅させ、操作端末１０４とテスト機器１０３のリンク作成に失敗したとき、点灯制御部３０６ｃは、Ｗ／Ｂ  ＬＥＤ１１１ｃを緑色でかつ高周波数で点滅させてもよい。なお、このとき、Ｗ／Ｂ  ＬＥＤ１１１ａ，１１１ｂ，１１１ｃは、琥珀色による点灯と緑色による点灯とを交互に繰り返す態様により、高周波数で点滅してもよい。リンク作成に失敗した場合、操作端末１０４において、表示部１０４ａにキャプチャ画面が表示されてもよい。そして、作業者がペアイニシャルボタン２１１をタッチすることで、上述したリンク作成動作が再度実行されてもよい。
【０１１４】
ブルートゥース経由でのリンク作成が成功（完了）すると、テスト機器１０１がイニシエータ機器、テスト機器１０２が第１のビーコン機器、テスト機器１０２が第２のビーコン機器として機能するための設定が完了したことになる。
【０１１５】
次に、テスト機器（イニシエータ機器）１０１とテスト機器（第１のビーコン機器）１０２との間、テスト機器（イニシエータ機器）１０１とテスト機器（第２のビーコン機器）１０３との間のジグビー経由によるリンク設定について説明する。
【０１１６】
ブルートゥース経由でのリンク作成が成功（完了）すると、表示制御部５０５は操作端末１０４の表示部１０４ａに図１０（ｃ）に示すペアリング完了画面を表示する（ステップＡ７）。ペアリング完了画面には、コネクトボタン２２１、閉じるボタン２２２、及びペアリングが完了したことを示すメッセージ２２３が表示される。
【０１１７】
作業者がコネクトボタン２２１をタッチすると（ステップＡ８）、通信制御部５０１は、通信デバイス５１０を介して第１のビーコン機器１０２のアドレスと第２のビーコン機器１０３のアドレスとをイニシエータ機器１０１に送信する（ステップＡ９）。アドレスとは作業者によって操作端末１０４に入力された第１のビーコン機器１０２の識別番号２１４ａ及び第２のビーコン機器１０３の識別番号２１５ａであってもよい。
【０１１８】
イニシエータ機器１０１は、第１のビーコン機器１０２のアドレス及び第２のビーコン機器１０３のアドレスを受信すると（ステップＢ４）、受信したアドレス（第１のビーコン機器１０２の識別番号２１４ａ及び第２のビーコン機器１０３の識別番号２１５ａ）が記憶デバイス１３７ａに記憶される。そして、イニシエータ機器１０１の通信制御部３０２ａは、イニシエータ機器１０１と第１のビーコン機器１０２、第２のビーコン機器１０３それぞれに対して無線通信状態を確立するための動作、即ち第１のビーコン機器１０２、第２のビーコン機器１０３それぞれとジグビー経由によるリンク設定（ペアリング）を行う（ステップＢ５）。このとき、通信制御部３０２ａは初めにデフォルトのチャネルを使用してジグビー経由でのリンク設定を試行してもよい。そして、デフォルトのチャネルを使用したリンク設定に失敗した場合には、異なるチャネルを使用して順次リンク設定を試みてもよい。
【０１１９】
リンク設定中、第１のビーコン機器１０２及び第２のビーコン機器１０３では、それぞれ点灯制御部３０６ｂ，３０６ｃがＺＢ  ＬＥＤ１１２ｂ，１１２ｃを緑色でかつ低周波数で点滅させる（ステップＣ４，Ｄ４）。
【０１２０】
イニシエータ機器１０１と第１のビーコン機器１０２とのリンク設定に成功した場合（ステップＣ５のＹＥＳ）、成功したチャネルに対応づいたチャネル番号がイニシエータ機器１０１の記憶デバイス１３７ａ、第１のビーコン機器の記憶デバイス１３７ｂに記憶される。そして、点灯制御部３０６ｂはＺＢ  ＬＥＤ１１２ｂを緑色で点灯させる（ステップＣ６）。リンク設定に失敗した場合（ステップＣ５のＮＯ）、点灯制御部３０６ｂはＺＢ  ＬＥＤ１１２ｂを緑色でかつ高周波数で点滅させる（ステップＣ７）。
【０１２１】
同様に、イニシエータ機器１０１と第２のビーコン機器１０３とのリンク設定に成功した場合（ステップＤ５のＹＥＳ）、成功したチャネルに対応づいたチャネル番号がイニシエータ機器１０１の記憶デバイス１３７ａ、第２のビーコン機器の記憶デバイス１３７ｃに記憶される。そして、点灯制御部３０６ｃはＺＢ  ＬＥＤ１１２ｃを緑色で点灯させる（ステップＤ６）。リンク設定に失敗した場合（ステップＤ５のＮＯ）、点灯制御部３０６ｃはＺＢ  ＬＥＤ１１２ｃを緑色でかつ高周波数で点滅させる（ステップＤ７）。
【０１２２】
なお、作業者は、ペアリング設定画面上のコネクトボタン２２１をタッチする代わりに、イニシエータ機器１０１のコネクトボタン１１４ａを押下してもよい。コネクトボタン１１４ａをタッチすると、イニシエータ機器１０１の通信制御部３０２ａは、第１のビーコン機器１０２、第２のビーコン機器１０３それぞれとジグビー経由によるリンク設定（ペアリング）を行う。後述するが、コネクトボタン１１４ａを操作することは、操作端末１０４とイニシエータ機器１０１間のブルートゥース通信が切断された状態において、イニシエータ機器１０１と第１のビーコン機器１０２との間及びイニシエータ機器１０１と第２のビーコン機器１０３との間の無線通信テストを実行する際に有効である。
【０１２３】
イニシエータ機器１０１と第１のビーコン機器１０２のリンク設定に成功したチャネルに対応づいたチャネル番号と、イニシエータ機器１０１と第２のビーコン機器１０３のリンク設定に成功したチャネルに対応づいたチャネル番号とが異なる場合もある。その場合は、それぞれのリンク設定で成功したチャネルに対応づいたチャネル番号が記憶される。
【０１２４】
そして、Ｗ／Ｂ通信部３０９ａは、ジグビー経由のリンク設定の結果を操作端末１０４に送信する（ステップＢ６）。
【０１２５】
操作端末１０４が通信デバイス５１０を介してイニシエータ機器１０１からジグビー経由でのリンク設定の結果を受信し、作業者が操作端末１０４で所定の操作を行うと、表示制御部５０５は図９（ｄ）又は（ｅ）に示す成功／失敗メッセージ画面を表示部１０４ａに表示する（ステップＡ１０）。所定の操作とは、例えば、作業者がペアリング完了画面中のコネクトボタン２２１や閉じるボタン２２２をタッチする操作であってもよい。図９（ｄ）に示す成功／失敗メッセージ画面は、イニシエータ機器１０１と第１のビーコン機器１０２との間及びイニシエータ機器１０１と第２のビーコン機器１０３との間におけるジグビー経由のリンク設定が成功した場合の例を示している。
【０１２６】
図１０（ｄ）の成功／失敗メッセージ画面には、イニシエータ機器１０１と第１のビーコン機器１０２との間及びイニシエータ機器１０１と第２のビーコン機器１０３との間におけるジグビー経由のリンク設定（ペアリング）が完了した旨のメッセージ２３１と、そのリンク設定が成功した旨のメッセージ２３２と、チャネル情報２３３と、閉じるボタン２３４とが示されている。なお、チャネル情報２３３は、イニシエータ機器１０１と第１のビーコン機器１０２との間及びイニシエータ機器１０１と第２のビーコン機器１０３との間でリンク設定に成功したチャネルに対応づいたチャネル番号が含まれている。図１０（ｄ）の例では、２．４ＧＨｚの周波数帯域でイニシエータ機器１０１と第１のビーコン機器１０２との間、及びイニシエータ機器１０１と第２のビーコン機器１０３との間でリンク設定に成功したチャネル番号が示されている。もし、リンク設定が失敗していた場合、図１０（ｅ）に示す成功／失敗メッセージ画面が表示部１０４ａに表示される。図１０（ｅ）の成功／失敗メッセージ画面には、リンク設定が失敗した旨のメッセージ２４１と、コネクトボタン２４２とが示される。
【０１２７】
リンク設定に成功した場合、作業者は成功／失敗メッセージ画面の閉じるボタン２３４をタッチし（ステップＡ１１のＮＯ、ステップＡ１２のＹＥＳ）、テスト前設定動作が終了する。リンク設定に失敗した場合、作業者は成功／失敗メッセージ画面のコネクトボタン２４２をタッチする（ステップＡ１１のＹＥＳ）。そして、ステップＡ７に戻る。
【０１２８】
例えば、イニシエータ機器１０１と第１のビーコン機器１０２とのリンク設定には成功し、イニシエータ機器１０１とビーコン機器１０３とのリンク設定には失敗することもあり得る。この場合は、第１のビーコン機器１０２と第２のビーコン機器１０３の結果を分けてそれぞれ成功／失敗メッセージ画面に示されることにしてもよい。また、そのとき、作業者がコネクトボタン２４２をタッチするとステップＡ７に戻り、第２のビーコン機器１０３、即ちリンク設定に失敗したビーコン機器とイニシエータ機器とのリンク設定のみが再び実行されてもよい。
【０１２９】
上述したジグビー経由でのリンク設定により、イニシエータ機器１０１と第１のビーコン機器１０２間、イニシエータ機器１０１と第２のビーコン機器１０３間が相互にジグビー通信可能になる。
【０１３０】
なお、ステップＡ６において、ワイファイ経由でリンク作成を行ってもよい。
【０１３１】
上述したテスト前設定動作が完了することで、テスト機器１０１がイニシエータ機器、テスト機器１０２，１０３がそれぞれ第１のビーコン機器、第２のビーコン機器に設定され、テスト機器１０１がテスト機器１０２，１０３それぞれに対して、相互にジグビー通信できるようになる。
【０１３２】
なお、テスト機器１０１，１０２，１０３の中で、例えばテスト機器１０２がイニシエータ機器に設定され、テスト機器１０３が第１のビーコン機器、テスト機器１０１が第２のビーコン機器にそれぞれ設定された場合、テスト機器１０２は上述したイニシエータ機器の動作と同様の動作を実行し、テスト機器１０３は、上述した第１のビーコン機器の動作と同様の動作を実行し、テスト機器１０１は、上述した第２のビーコン機器の動作と同様の動作を実行する。テスト機器１０３をイニシエータ機器、テスト機器１０１，１０２をそれぞれ第１のビーコン機器、第２のビーコン機器に設定した場合についても同様である。また、図８及び図９では、ビーコン機器が２つの場合について示されているが、１つでも３以上でもよい。
【０１３３】
図１１及び図１２は、無線通信テストシステム１００が実行する無線通信テストに関する動作を示すシーケンス図である。ここでは、図８及び図９に示すテスト前設定動作が完了しているものとする。即ち、テスト機器１０１がイニシエータ機器、テスト機器１０２が第１のビーコン機器、テスト機器１０３が第２のビーコン機器に設定され、テスト機器１０１がテスト機器１０２，１０３それぞれと通信設定（ペアリング）が完了しているものとする。
【０１３４】
なお、テスト機器１０１，１０２，１０３の中で、テスト機器１０１以外のテスト機器１０２，１０３がイニシエータ機器に設定され、残りがビーコン機器に設定された場合についても同様の動作が行われる。
【０１３５】
作業者は操作端末１０４に所定の操作を行うと、表示制御部５０５は操作端末１０４の表示部１０４ａに図１３（ａ）に示す初期画面を表示する（ステップＡ２１）。
【０１３６】
また、作業者は第１のビーコン機器１０２、第２のビーコン機器１０３の電源をオンする（ステップＣ２１，Ｄ２１）。
【０１３７】
また、イニシエータ機器１０１の電源がオンされ、イニシエータ機器１０１のコネクトボタン１１４ａが押下されると（ステップＢ２１）、イニシエータ機器１０１の通信制御部３０２ａはイニシエータ機器１０１と第１のビーコン機器１０２とのジグビー通信接続及びイニシエータ機器１０１と第２のビーコン機器１０３とのジグビー通信接続を開始する（ステップＢ２２）。このとき、通信制御部３０２は記憶デバイス１３７ａに記憶されたチャネル番号及び識別番号２１４ａ，２１５ａを使用して、第１のビーコン機器１０２、第２のビーコン機器１０３それぞれとジグビー接続を確立する。通信制御部３０２ａがジグビー接続を開始すると、第１のビーコン機器１０２、第２のビーコン機器１０３では、点灯制御部３０６ｂ，３０６ｃがそれぞれＺＢ  ＬＥＤ１１２ｂ，１１２ｃを緑色でかつ低周波数で点滅させる（ステップＣ２２，Ｄ２２）。
【０１３８】
イニシエータ機器１０１と第１のビーコン機器１０２間のジグビー接続に成功すると、第１のビーコン機器１０２では、点灯制御部３０６ｂがＺＢ  ＬＥＤ１１２ｂを緑色で点灯させる（ステップＣ２３）。イニシエータ機器１０１と第２のビーコン機器１０３間のジグビー接続に成功すると、第２のビーコン機器１０３では、点灯制御部３０６ｃがＺＢ  ＬＥＤ１１２ｃを緑色で点灯させる（ステップＤ２３）。
【０１３９】
また、イニシエータ機器１０１の電源がオンされ、イニシエータ機器１０１のコネクトボタン１１４ａが押下されると（ステップＢ２１）、イニシエータ機器１０１の通信制御部３０２ａは、イニシエータ機器１０１と操作端末１０４との間でブルートゥース接続を確立する（ステップＢ２２）。通信制御部３０２ａが操作端末１０４との間でブルートゥース接続を開始すると、イニシエータ機器１０１では、点灯制御部３０６ａがＷ／Ｂ  ＬＥＤ１１１ａを緑色でかつ低周波数で点滅させる（ステップＢ２３）。ここで、Ｗ／Ｂ  ＬＥＤ１１１ａは緑色ではなく琥珀色で点滅してもよい（図７（ａ）参照）。なお、Ｗ／Ｂ  ＬＥＤ１１１ａは、琥珀色による点灯と緑色による点灯とを交互に繰り返す態様により、低周波数で点滅してもよい。
【０１４０】
操作端末１０４とイニシエータ機器１０１間のブルートゥース接続に成功すると、イニシエータ機器１０１では、点灯制御部３０６ａがＷ／Ｂ  ＬＥＤ１１１ａを緑色で点灯させる（ステップＢ２４）。ここで、Ｗ／Ｂ  ＬＥＤ１１１ａは緑色ではなく琥珀色で点灯してもよい（図７（ａ）参照）。
【０１４１】
作業者が初期画面のスタートイニシエータボタン２０２をタッチすると（ステップＡ２２）、通信制御部５０１はイニシエータ機器１０１に設定情報の送信を要求する（ステップＡ２３）。
【０１４２】
イニシエータ機器１０１の通信制御部３０２ａは、操作端末１０４からの設定情報の送信の要求を受信すると、第１のビーコン機器１０２及び第２のビーコン機器１０３それぞれの識別番号２１４ａ，２１５ａ、記憶デバイス１３７ａに記憶されたチャネル番号を含む設定情報を操作端末１０４に送信する（ステップＢ２５）。このとき、イニシエータ機器１０１の識別番号２１３ａも操作端末１０４に送信されてもよい。
【０１４３】
操作端末１０４はイニシエータ機器１０１から識別番号２１４ａ，２１５ａ及びチャネル番号を受信すると、操作端末１０４の表示制御部５０５は、図１３（ｂ）に示す設定情報表示画面を表示部１０４ａに表示する(ステップＡ２４)。このとき、設定情報表示画面のイニシエータ機器１０１の欄３１４にはイニシエータ機器１０１の識別番号２１３ａ、設定情報表示画面の第１のビーコン機器１０２の欄３１５には第２のビーコン機器１０３の識別番号２１４ａ、設定情報表示画面の第２のビーコン機器１０３の欄３１６には第２のビーコン機器１０３の識別番号２１５ａがそれぞれ示される。また、設定情報表示画面には受信されたチャネル番号を含む情報３１３が示される。
【０１４４】
なお、作業者がスタートイニシエータボタン２０２をタッチしない場合でも、作業者がイニシエータ機器１０１のコネクトボタン１１４ａを押下した場合、ステップＢ２５の処理が実行される。その後、操作端末１０４側ではステップＡ２４の処理が実行される。
【０１４５】
次に、作業者は、イニシエータ機器１０１を通信ハブ２０の設置予定場所又はその近傍に配置し、第１のビーコン機器１０２を例えばガスメータ２の設置予定場所又はその近傍に配置し、第２のビーコン機器１０３をＩＨＤ４の設置予定場所又はその近傍に配置する。
【０１４６】
そして、作業者が設定情報表示画面のスタートＨＡＮ（Home Area Network）サーベイボタン３１１をタッチすると（ステップＡ２５）、指示送信部５０３はイニシエータ機器１０１と第１のビーコン機器１０２とが２．４ＧＨｚの周波数帯域で相互に無線通信可能であるか否かを判定する第１のテストを実行させるための第１のテスト指示と、イニシエータ機器１０１と第２のビーコン機器１０３とが２．４ＧＨｚの周波数帯域で相互に無線通信可能であるか否かを判定する第３のテストを実行させるための第３のテスト指示をイニシエータ機器１０１に送信する（ステップＡ２６）。その後、表示制御部５０５は、図１３（ｃ）に示すＨＡＮサーベイストップ画面を表示部１０４ａに表示する（ステップＡ２７）。ＨＡＮサーベイストップ画面には、ＨＡＮサーベイストップボタン３２１、閉じるボタン３２２が示されている。
【０１４７】
イニシエータ機器１０１のテスト指示受信部３０３ａが第１のテスト指示を受信すると、テスト実行部３０４ａは、第１のテストを実行し、テスト指示受信部３０３ａが第３のテスト指示を受信すると、テスト実行部３０４ａは第３のテストを実行する（ステップＢ２６）。このとき、テスト実行部３０４ａは、２．４ＧＨｚの周波数帯域の第１のテスト信号を第１のビーコン機器１０２に定期的に送信し、２．４ＧＨｚの周波数帯域の第３のテスト信号を第２のビーコン機器１０３に定期的に送信する。第１のテスト信号及び第３のテスト信号はメッセージやデータで構成される。
【０１４８】
第１のビーコン機器１０２が第１のテスト信号を受信した場合、第１のビーコン機器１０２の応答部３０７ｂは第１の応答信号をイニシエータ機器１０１に送信する。また、第２のビーコン機器が第３のテスト信号を受信した場合、第２のビーコン機器１０３の応答部３０７ｃは、第３の応答信号をイニシエータ機器１０１に送信する。第１の応答信号及び第３の応答信号には、ＡＣＫ及びＳｅｌｅｃｔｉｖｅ  ＡＣＫがある。第１のビーコン機器１０２が第１のテスト信号を正常に受信できた場合（受信度が高い場合）に応答部３０７ｂが送信する第１の応答信号と、第２のビーコン機器１０３が第３のテスト信号を正常に受信できた場合（受信度が高い場合）に応答部３０７ｃが送信する第３の応答信号とは、それぞれＡＣＫである。ＡＣＫは、データの受信側から送信側に対して送信される肯定的な内容を示す信号である。
【０１４９】
他方、第１のビーコン機器１０２が第１のテスト信号の一部のみ正常に受信できた場合（受信度が低い場合）に応答部３０７ｂがイニシエータ機器１０１に送信する第１の応答信号と、第２のビーコン機器１０３が第３のテスト信号の一部のみ正常に受信できた場合（受信度が低い場合）に応答部３０７ｃがイニシエータ機器１０１に送信する第３の応答信号とは、それぞれＳｅｌｅｃｔｉｖｅ  ＡＣＫである。Ｓｅｌｅｃｔｉｖｅ  ＡＣＫは、データの受信側から送信側に対して送信される、通信に失敗したデータだけを再送信することを要求する内容を示す信号である。
【０１５０】
テスト実行部３０４ａは、第１の応答信号と、第３の応答信号とを受信する。
【０１５１】
無線通信テストの詳細は後述する。なお、無線通信テストは、記憶デバイス１３７ａに記憶されている無線通信テストの内容に従って実行される。
【０１５２】
第１のテストの実行中、イニシエータ機器１０１では、点灯制御部３０６ａがＺＢ  ＬＥＤ１１２ａを緑色でかつ低周波数で点滅させ（ステップＢ２７）、第１のビーコン機器１０２では、点灯制御部３０６ｂがＺＢ  ＬＥＤ１１２ｂを緑色でかつ低周波数で点滅させる（ステップＣ２４）。
【０１５３】
第３のテストの実行中、イニシエータ機器１０１では、点灯制御部３０６ａがＺＢ  ＬＥＤ１１２ａを緑色でかつ低周波数で点滅させ（ステップＢ２７）、第２のビーコン機器１０３では、点灯制御部３０６ｃがＺＢ  ＬＥＤ１１２ｃを緑色でかつ低周波数で点滅させる（ステップＤ２４）。
【０１５４】
なお、操作端末１０４によってテストを中止するための操作が行われた場合に、イニシエータ機器１０１でＺＢ  ＬＥＤ１１２ａが緑色でかつ高周波数で点滅してもよい。また、第１のビーコン機器１０２、第２のビーコン機器１０３おいてそれぞれＺＢ  ＬＥＤ１１２ｂ，１１２ｃが緑色でかつ高周波数で点滅してもよい。
【０１５５】
次に、作業者がＨＡＮサーベイストップ画面のＨＡＮサーベイストップボタン３２１をタッチすると（ステップＡ２８）、操作端末１０４の指示送信部５０３は２．４ＧＨｚの周波数帯域での無線通信テストを終了させるための指示（２．４ＧＨｚテスト終了指示）をイニシエータ機器１０１に送信する（ステップＡ２９）。
【０１５６】
イニシエータ機器１０１が２．４ＧＨｚテスト終了指示を受信すると、テスト実行部３０４ａは第１のテスト及び第３のテストを終了する（ステップＢ２８）。このとき、テスト実行部３０４ａは、定期的に第１のビーコン機器１０２に送信していた２．４ＧＨｚの周波数帯域の第１のテスト信号と、定期的に第２のビーコン機器１０３に送信していた２．４ＧＨｚの周波数帯域の第３のテスト信号の送信を停止する。
【０１５７】
第１のテスト及び第３のテストが終了すると、イニシエータ機器１０１では点灯制御部３０６ａはＺＢ  ＬＥＤ１１２ａを緑色に点灯させる（ステップＢ２９）。また、第１のテストが終了すると、第１のビーコン機器１０２では、点灯制御部３０６ｂがＺＢ  ＬＥＤ１１２ｂを緑色に点灯させ（ステップＣ２５）、第３のテストが終了すると、第２のビーコン機器１０３では、点灯制御部３０６ｃがＺＢ  ＬＥＤ１１２ｃを緑色に点灯させる（ステップＤ２５）。
【０１５８】
第１のテスト及び第３のテストが終了すると、第１のテスト及び第３のテストの結果が記憶デバイス１３７ａに記憶される。そして、テスト結果送信部３０５ａは、第１のテストの結果と第３のテストの結果を操作端末１０４に送信する（ステップＢ３０）。第１のテスト及び第３のテストの結果は、それぞれ要約メッセージを構成している。要約メッセージには、無線通信テストにおいて使用したテスト信号（メッセージ）の種類や周波数帯域、受信率や再送信回数等の情報が含まれる。
【０１５９】
操作端末１０４において、テスト結果受信部５０４が２．４ＧＨｚの周波数帯域におけるテスト結果（第１のテストの結果及び第３のテストの結果）を受信すると、表示制御部５０５は、図１３（ｄ）又は図１３（ｅ）に示す２．４ＧＨｚテスト結果表示画面を表示部１０４ａに表示する（ステップＡ３０）。このとき、受信されたテスト結果に基づいて、イニシエータ機器１０１と第１のビーコン機器１０２とが相互にジグビー通信可能か否か、イニシエータ機器１０１と第２のビーコン機器１０３とが相互にジグビー通信可能か否かが判断され、図１３（ｄ）又は図１３（ｅ）に示す画面が表示部１０４ａに表示される。
【０１６０】
図１３（ｄ）に示す画面は、２．４ＧＨｚの周波数帯域においてイニシエータ機器１０１と第１のビーコン機器１０２とが相互にジグビー通信可能（成功）であり、イニシエータ機器１０１と第２のビーコン機器１０３とが相互にジグビー通信可能（成功）である場合に表示される画面である。図１３（ｄ）には、終了ボタン３３１、テスト結果の情報３３２、シングルバンドの通信ハブ２０、各種メータ、ＩＨＤ４を設置することを奨励する旨を示す情報３３３、レポートボタン３３４が示されている。
【０１６１】
イニシエータ機器１０１と第１のビーコン機器１０２との相互通信又はイニシエータ機器１０１と第２のビーコン機器１０３との相互通信のいずれか一方のみが成功する場合もあるが、ここでは、両通信がともに成功する場合のみを通信可能（成功）とし、いずれか一方のみが成功する場合は、通信不可能（失敗）とする。このように、第１のテストの結果及び第３のテストの結果に基づいて通信可能（成功）と判断された場合には、シングルバンド機器の設置が作業者に奨励される。
【０１６２】
図１３（ｅ）に示す画面は、２．４ＧＨｚの周波数帯域においてイニシエータ機器１０１と第２のビーコン機器１０３とが相互にジグビー通信不可能（失敗）であり、及び／又はイニシエータ機器１０１と第２のビーコン機器１０３とが相互にジグビー通信不可能（失敗）である場合に表示される画面である。図１３（ｅ）には、サブＧＨｚ  ＨＡＮサーベイボタン３４１、テスト結果の情報３４２、中止ボタン３４３、レポートボタン３４４が示されている。
【０１６３】
第１のテスト及び第３のテストの結果が成功である場合（ステップＡ３１のＹＥＳ）、作業者は終了ボタン３３１をタッチし（ステップＡ３９）、無線通信テストに関する動作を終える。
【０１６４】
第１のテスト及び第３のテストの結果が失敗である場合（ステップＡ３１のＮＯ）、作業者はサブＧＨｚ  ＨＡＮサーベイボタン３４１をタッチする（ステップＡ３２）。その後、指示送信部５０３は、イニシエータ機器１０１と第１のビーコン機器１０２とが８６８ＭＨｚの周波数帯域で相互に無線通信可能であるか否か判定する第２のテストを実行させるための第２のテスト指示と、イニシエータ機器１０１と第２のビーコン機器１０３とが８６８ＭＨｚの周波数帯域で相互に無線通信可能であるか否かを判定する第４のテストを実行させるための第４のテスト指示とをイニシエータ機器１０１に送信する（ステップＡ３３）。その後、表示制御部５０５は、図１３（ｆ）に示すサブＧＨｚ  ＨＡＮサーベイストップ画面を表示部１０４ａに表示する（ステップＡ３４）。サブＧＨｚ  ＨＡＮサーベイストップ画面には、サブＧＨｚ  ＨＡＮサーベイストップボタン３５１、閉じるボタン３５２が示されている。
【０１６５】
イニシエータ機器１０１のテスト指示受信部３０３ａが第２のテスト指示を受信すると、テスト実行部３０４ａは第２のテストを実行し、イニシエータ機器１０１のテスト指示受信部３０３ａが第４のテスト指示を受信すると、テスト実行部３０４ａは第４のテストを実行する（ステップＢ３１）。このとき、テスト実行部３０４ａは８６８ＭＨｚの周波数帯域の第２のテスト信号を第１のビーコン機器１０２に定期的に送信し、８６８ＭＨｚの周波数帯域の第４のテスト信号を第２のビーコン機器１０３に定期的に送信する。第２のテスト信号及び第４のテスト信号はメッセージやデータで構成される。
【０１６６】
第１のビーコン機器１０２が第２のテスト信号を受信した場合、第１のビーコン機器１０２の応答部３０７ｂは第２の応答信号をイニシエータ機器１０１に送信する。また、第２のビーコン機器が第４のテスト信号を受信した場合、第２のビーコン機器１０３の応答部３０７ｃは、第４の応答信号をイニシエータ機器１０１に送信する。第２の応答信号及び第４の応答信号にも、ＡＣＫ及びＳｅｌｅｃｔｉｖｅ  ＡＣＫがある。第１のビーコン機器１０２が第２のテスト信号を正常に受信できた場合（受信度が高い場合）に応答部３０７ｂが送信する第２の応答信号と、第２のビーコン機器１０３が第４のテスト信号を正常に受信できた場合（受信度が高い場合）に応答部３０７ｃが送信する第４の応答信号とは、それぞれＡＣＫである。
【０１６７】
他方、第１のビーコン機器１０２が第２のテスト信号の一部のみ正常に受信できた場合（受信度が低い場合）に応答部３０７ｂが送信する第２の応答信号と、第２のビーコン機器１０３が第４のテスト信号の一部のみ正常に受信できた場合（受信度が低い場合）に応答部３０７ｃが送信する第４の応答信号とは、それぞれＳｅｌｅｃｔｉｖｅ  ＡＣＫである。
【０１６８】
テスト実行部３０４ａは、第２の応答信号と、第４の応答信号とを受信する。  
【０１６９】
なお、無線通信テストは、記憶デバイス１３７ａに記憶されている無線通信テストの内容に従って実行される。
【０１７０】
第２のテストの実行中、イニシエータ機器１０１では、点灯制御部３０６ａがＺＢ  ＬＥＤ１１２ａを緑色でかつ低周波数で点滅させ（ステップＢ３２）、第１のビーコン機器１０２では、点灯制御部３０６ｂがＺＢ  ＬＥＤ１１２ｂを緑色でかつ低周波数で点滅させる（ステップＣ２６）。
【０１７１】
第４のテストの実行中、イニシエータ機器１０１では、点灯制御部３０６ａがＺＢ  ＬＥＤ１１２ａを緑色でかつ低周波数で点滅させ（ステップＢ３２）、第２のビーコン機器１０３では、点灯制御部３０６ｃがＺＢ  ＬＥＤ１１２ｃを緑色でかつ低周波数で点滅させる（ステップＤ２６）。
【０１７２】
次に、作業者がサブＧＨｚ  ＨＡＮサーベイストップ画面のサブＧＨｚ  ＨＡＮサーベイストップボタン３５１をタッチすると（ステップＡ３５）、指示送信部５０３は、８６８ＭＨｚにおける無線通信テストを終了させるための指示（８６８ＭＨｚテスト終了指示）をイニシエータ機器１０１に送信する（ステップＡ３６）。
【０１７３】
イニシエータ機器１０１が８６８ＭＨｚテスト終了指示を受信すると、テスト実行部３０４ａは実行中の第２のテスト、及び第４のテストを終了する（ステップＢ３３）。このとき、テスト実行部３０４ａは、定期的に第１のビーコン機器１０２に送信していた８６８ＭＨｚの周波数帯域の第２のテスト信号と、定期的に第２のビーコン機器１０３に送信していた８６８ＭＨｚの周波数帯域の第４のテスト信号の送信を停止する。
【０１７４】
第２のテスト及び第４のテストが終了すると、イニシエータ機器１０１では点灯制御部３０６ａはＺＢ  ＬＥＤ１１２ａを緑色に点灯させる（ステップＢ３４）。また、第２のテストが終了すると、第１のビーコン機器１０２では、点灯制御部３０６ｂがＺＢ  ＬＥＤ１１２ｂを緑色に点灯させ（ステップＣ２７）、第４のテストが終了すると、第２のビーコン機器１０３では、点灯制御部３０６ｃがＺＢ  ＬＥＤ１１２ｃを緑色に点灯させる（ステップＤ２７）。
【０１７５】
第２のテスト及び第４のテストが終了すると、第２のテスト及び第４のテストの結果が記憶デバイス１３７ａに記憶される。そして、テスト結果送信部３０５ａは、第２のテストの結果と第４のテストの結果を操作端末１０４に送信する（ステップＢ３５）。第２のテスト及び第４のテストの結果は、それぞれ要約メッセージを構成している。要約メッセージには、無線通信テストにおいて使用したテスト信号（メッセージ）の種類や周波数帯域、受信率や再送信回数等の情報が含まれる。
【０１７６】
操作端末１０４において、テスト結果受信部５０４が８６８ＭＨｚの周波数帯域におけるテスト結果（第２のテストの結果及び第４のテストの結果）を受信すると、表示制御部５０５は、図１３（ｇ）又は図１３（ｈ）に示す８６８ＭＨｚテスト結果表示画面を表示部１０４ａに表示する（ステップＡ３７）。このとき、受信されたテスト結果に基づいて、イニシエータ機器１０１と第１のビーコン機器１０２とが相互にジグビー通信可能か否か、イニシエータ機器１０１と第２のビーコン機器１０３とが相互にジグビー通信可能か否かが判断され、その判断結果に応じて図１３（ｇ）又は図１３（ｈ）に示す画面が表示部１０４ａに表示される。
【０１７７】
図１３（ｇ）に示す画面は、８６８ＭＨｚの周波数帯域においてイニシエータ機器１０１と第１のビーコン機器１０２とが相互にジグビー通信可能（成功）であり、イニシエータ機器１０１と第２のビーコン機器１０３とが相互にジグビー通信可能（成功）である場合に表示される画面である。図１３（ｇ）には、終了ボタン３６１と、テスト結果の情報３６２と、デュアルバンドの通信ハブ２０、各種メータ、ＩＨＤ４を設置することを奨励する旨を示す情報３６３と、レポートボタン３６４とが示されている。イニシエータ機器１０１と第１のビーコン機器１０２との相互通信又はイニシエータ機器１０１と第２のビーコン機器１０３との相互通信のいずれか一方のみが成功する場合もあるが、ここでは、両通信がともに成功する場合のみを通信可能（成功）とし、いずれか一方のみが成功する場合は、通信不可能（失敗）とする。このように、第２のテストの結果及び第４のテストの結果に基づいて通信可能（成功）と判断された場合には、デュアルバンド機器の設置が作業者に奨励される。
【０１７８】
図１３（ｈ）に示す画面は、８６８ＭＨｚの周波数帯域においてイニシエータ機器１０１と第１のビーコン機器１０２とが相互にジグビー通信可能不可能（失敗）であり、及び／又はイニシエータ機器１０１と第２のビーコン機器１０３とが相互にジグビー通信不可能（失敗）である場合に表示される画面である。図１３（ｈ）には、再テストボタン３７１と、テスト結果の情報３７２と、再テストを促す旨を示す情報３７３と、レポートボタン３７４と、中止ボタン３７５とが示されている。
【０１７９】
第２のテスト及び第４のテストの結果が成功である場合（ステップＡ３８のＹＥＳ）、作業者は終了ボタン３６１をタッチし（ステップＡ３９）、無線通信テストに関する動作を終える。
【０１８０】
第２のテスト及び第４のテストの結果が失敗である場合（ステップＡ３８のＮＯ）、作業者は再テストボタン３７１をタッチし（ステップＡ４０）、ステップＡ２４に戻る。
【０１８１】
なお、図１１及び図１２では操作端末１０４を操作することで２．４ＧＨｚ及び８６８ＭＨｚにおける無線通信テストを終了させることにしたが、イニシエータ機器１０１自らが無線通信テストを終了してもよい。例えば、記憶デバイス１３７ａに記憶されている無線通信テストの内容に従った無線通信テストが完了した場合には、イニシエータ機器１０１自らが無線通信テストを終了させてもよい。
【０１８２】
なお、第１及び第３のテストの実行中に、操作端末１０４とイニシエータ機器１０１とのブルートゥース通信がオフされてもよい。操作端末１０４とイニシエータ機器１０１とのブルートゥース通信が確立したままである場合、操作端末１０４とイニシエータ機器１０１とのブルートゥース通信と、２．４ＧＨｚの周波数帯域におけるジグビー通信とが重複し、無線通信テストが適切に実行されない可能性がある。したがって、ブルートゥース通信がオフされることで、操作端末１０４とイニシエータ機器１０１とのブルートゥース通信と２．４ＧＨｚの無線通信テストにおけるジグビー通信とが重複することを防止できる。同様に、第２及び第４のテスト実行中に、操作端末１０４とイニシエータ機器１０１とのブルートゥース通信がオフされてもよい。
【０１８３】
この場合、作業者は、操作端末１０４とテスト機器１０１間のブルートゥース通信を切断した状態で、テスト機器１０１とテスト機器１０２との間及びテスト機器１０１とテスト機器１０３との間の無線通信テストを行うことになるため、イニシエータ機器１０１のコネクトボタン１１４ａを押下する。
【０１８４】
即ち、第１及び第３のテストは、ＨＡＮサーベイストップボタン３２１がタッチされない場合でも、その動作に換えて、イニシエータ機器１０１のコネクトボタン１１４ａが押下された場合には実行される。
【０１８５】
この場合、コネクトボタン１１４ａが押下されると、イニシエータ機器１０１の通信制御部３０２ａは、操作端末１０４にイニシエータ機器１０１とのブルートゥース通信接続を切断する指令を送信する。操作端末１０４がその切断指令を受信すると、通信制御部５０１は操作端末１０４とイニシエータ機器１０１とのブルートゥース通信接続を切断する。また、イニシエータ機器１０１の通信制御部３０２ａは、操作端末１０４とのブルートゥース通信接続を切断する。
【０１８６】
次に、ステップＢ２６が実行される（第１及び第３のテストの実行）。第１及び第３のテスト中において、イニシエータ機器１０１では、ステップＢ２７が実行される。ここで、テスト中に、コネクトボタン１１４ａが押下された場合、実行中のテストが中止される。
【０１８７】
また、記憶デバイス１３７ａに記憶されている無線通信テストの内容に従った無線通信テストが完了した場合には、イニシエータ機器１０１のテスト実行部３０４ａは無線通信テストを終了する。そして、イニシエータ機器１０１では、ステップＢ２９が実行される。さらに、通信制御部３０２ａは、操作端末１０４とイニシエータ機器１０１との間のブルートゥース通信接続を確立する。
【０１８８】
同様に、第２及び第４のテストは、サブＧＨｚ  ＨＡＮサーベイストップボタン３５１がタッチされない場合でも、その動作に換えて、イニシエータ機器１０１のコネクトボタン１１４ａが押下された場合には実行される。
【０１８９】
この場合、コネクトボタン１１４ａが押下されると、イニシエータ機器１０１の通信制御部３０２ａは、操作端末１０４にイニシエータ機器１０１とのブルートゥース通信接続を切断する指令を送信し、操作端末１０４がその切断指令を受信すると、通信制御部５０１は操作端末１０４とイニシエータ機器１０１とのブルートゥース通信接続を切断する。また、イニシエータ機器１０１の通信制御部３０２ａは、操作端末１０４とのブルートゥース通信接続を切断する。
【０１９０】
次に、ステップＢ３１が実行される（第２及び第４のテストの実行）。第２及び第４のテスト中において、イニシエータ機器１０１では、ステップＢ３２が実行される。ここで、テスト中に、コネクトボタン１１４ａが押下された場合、実行中のテストが中止される。
【０１９１】
また、記憶デバイス１３７ａに記憶されている無線通信テストの内容に従った無線通信テストが完了した場合には、イニシエータ機器１０１のテスト実行部３０４ａは無線通信テストを終了する。そして、イニシエータ機器１０１では、ステップＢ３４が実行される。さらに、通信制御部３０２ａは、操作端末１０４とイニシエータ機器１０１との間のブルートゥース通信接続を確立する。
【０１９２】
上述したようにテスト機器１０１，１０２，１０３は、テスト中とテスト終了時に異なる態様でテスト機器のＺＢ  ＬＥＤ１１２ａ，１１２ｂ，１１２ｃが点灯するため、作業者は無線通信テストの実行中か無線通信テストが終了したのかをテスト機器に目を向けることで確認することができる。
【０１９３】
また、２．４ＧＨｚにおける第１のテストの結果と第３のテストの結果のうち、第１のビーコン機器１０２に関する第１のテストの結果のみが相互に無線通信不可能である場合には、指示送信部５０３は第１のビーコン機器１０２に関する第２のテスト指示のみをイニシエータ機器１０１に送信し、８６８ＭＨｚにおける無線通信テストについては、第１のビーコン機器１０２に関する第２のテストのみが実行されてもよい。また、第１のテストの結果と第３のテストの結果のうち、第２のビーコン機器１０３に関する第３のテストの結果のみが相互に無線通信不可能である場合には、指示送信部５０３は第２のビーコン機器１０３に関する第４のテスト指示のみをイニシエータ機器１０１に送信し、８６８ＭＨｚにおける無線通信テストについては、第２のビーコン機器１０３に関する第４のテストのみが実行されてもよい。
【０１９４】
同様に、第２のテストの結果と第４のテストの結果のうち、第１のビーコン機器１０２に関する第２のテストの結果のみが相互に無線通信不可能である場合には、指示送信部５０３は第１のビーコン機器１０２に関する第１のテスト指示のみをイニシエータ機器１０１に送信し、再テストとして第１のビーコン機器１０２に関する第１のテストのみが実行されてもよい。また、第２のテストの結果と第４のテストの結果のうち、第２のビーコン機器１０３に関する第４のテストの結果のみが相互に無線通信不可能である場合には、指示送信部５０３は第２のビーコン機器１０３に関する第３のテスト指示のみをイニシエータ機器１０１に送信し、再テストとして第２のビーコン機器１０３に関する第３のテストのみが実行されてもよい。
【０１９５】
また、第１のテストの結果と第３のテストの結果の一方のみが無線通信不可能である場合、２．４ＧＨｚテスト結果表示画面において、第１のビーコン機器１０２に関する第１のテストの結果と第２のビーコン機器１０３に関する第３のテストの結果とが分けて示されてもよい。また、第１のビーコン機器１０２に関する第２のテストの結果と第２のビーコン機器１０３に関する第４のテストの結果の一方のみが相互に無線通信不可能である場合、８６８ＭＨｚテスト結果表示画面において、第１のビーコン機器１０２に関する第２のテストの結果と第２のビーコン機器１０３に関する第４のテストの結果とが分けて示されてもよい。
【０１９６】
なお、ステップＢ２７において、点灯制御部３０６ａは、第１のテスト及び第３のテストの結果に応じてＺＢ  ＬＥＤ１１２ａの点灯態様を変えてもよい。例えば、点灯制御部３０６ａは、第１のビーコン機器１０２に関する第１のテストの結果及び第２のビーコン機器１０３に関する第３のテストの結果が相互に無線通信可能であった場合、緑色でＺＢ  ＬＥＤ１１２ａを点灯させ、第１のビーコン機器１０２に関する第１のテストの結果及び第２のビーコン機器１０３に関する第３のテストの結果が相互に無線通信不可能であった場合、点灯制御部３０６ａは、緑色でかつ高周波数でＺＢ  ＬＥＤ１１２ａを点灯させてもよい。
【０１９７】
同様に、ステップＢ３２おいて、第１のビーコン機器１０２に関する第２のテストの結果及び第２のビーコン機器１０３に関する第４のテストの結果が相互に無線通信可能であった場合、点灯制御部３０６ａはＺＢ  ＬＥＤ１１２ａを緑色で点灯させ、第１のビーコン機器１０２に関する第２のテストの結果及び第２のビーコン機器１０３に関する第４のテストの結果が相互に無線通信不可能であった場合、点灯制御部３０６ａはＺＢ  ＬＥＤ１１２ａを緑色でかつ高周波数で点灯させてもよい。
【０１９８】
また、ステップＣ２５，Ｄ２５，Ｃ２７，Ｄ２７において、テストの結果が無線通信可能である場合、第１のビーコン機器１０２及び第２のビーコン機器１０３において、各点灯制御部３０６ｂ，３０６ｃはＺＢ  ＬＥＤ１１２ａを緑色で点灯させ、テストの結果が相互に無線通信不可能である場合にはＺＢ  ＬＥＤ１１２ｂ，１１２ｃを緑色でかつ高周波数で点灯させてもよい。
【０１９９】
この場合、作業者はテスト機器のＺＢ  ＬＥＤに目を向けることで無線通信テストの結果を操作端末１０４を操作することなく確認することができる。
【０２００】
また、図１１及び１２では、ビーコン機器が２つの場合について示されているが、１つでも３以上でもよい。その場合も同様に無線通信テストが実行される。
【０２０１】
なお、ステップＢ３０において、図１３（ｄ）に示すレポートボタン３３４又は図１３（ｅ）に示すレポートボタン３４４がタッチされた場合にテスト結果が操作端末１０４に送信されてもよい。同様に、ステップＢ３５において、図１３（ｇ）に示すレポートボタン３６４又は図１３（ｈ）に示すレポートボタン３７４がタッチされた場合にテスト結果が操作端末１０４に送信されてもよい。
【０２０２】
図１４は、イニシエータ機器（第１のモード）に設定されたテスト機器が実行する無線通信テストについて示すフローチャートである。以下の説明では、テスト機器１０１がイニシエータ機器に設定され、テスト機器１０２がビーコン機器に設定されたとする。
【０２０３】
ステップＳ１において、操作端末１０４からイニシエータ機器１０１とビーコン機器１０２間において周波数帯域２．４ＧＨｚで無線通信テストを実行させるためのテスト指示（２．４ＧＨｚのテスト指示）が受信されたか否かについて判定される。ここでいう、２．４ＧＨｚのテスト指示は、上述した第１のテスト指示のことである。
【０２０４】
テスト指示受信部３０３ａが２．４ＧＨｚのテスト指示を受信すると（ステップＳ１のＹＥＳ）、テスト実行部３０４ａはイニシエータ機器１０１とビーコン機器１０２間における２．４ＧＨｚの無線通信テスト（２．４ＧＨｚのテスト）を開始する（ステップＳ２）。ここでいう、２．４ＧＨｚのテストは、上述した第１のテストのことである。２．４ＧＨｚのテストは、記憶デバイス１３７ａに記憶されている無線通信テストの内容に従って実行される。無線通信テストの内容には、送信するテスト信号のレベルの大きさ等のテスト信号の種類や、テスト信号を送信する時間、テスト信号を送信する時間間隔等が含まれている。
【０２０５】
２．４ＧＨｚのテストが開始されると、テスト実行部３０４ａは２．４ＧＨｚの周波数帯域の第１のテスト信号をビーコン機器１０２に送信する（ステップＳ３）。そして、テスト実行部３０４ａはビーコン機器１０２からの応答を判断する（ステップＳ４）。
【０２０６】
ビーコン機器１０２の応答部３０７ｂは第１のテスト信号を受信した場合、第１のテスト信号の受信度に応じた第１の応答信号をイニシエータ機器１０１に送信する。テスト実行部３０４ａは、第１の応答信号を受信できたか否か、及び第１の応答信号を受信できた場合には第１の応答信号の内容（ＡＣＫとＳｅｌｅｃｔｉｖｅ  ＡＣＫのいずれであるか）に基づいて応答を判断する。ここで、第１の応答信号がＳｅｌｅｃｔｉｖｅ  ＡＣＫである場合には、テスト実行部３０４ａは第１のテスト信号中の送信を要求されたデータをビーコン機器１０２に再送信する。再送信されたデータがビーコン機器１０２に受信されると、応答部３０７ａはその受信したデータの受信度に応じて第１の応答信号をイニシエータ機器１０１に送信する。このような、（１）ビーコン機器１０２による一部のデータのみの受信、（２）ビーコン機器１０２によるＳｅｌｅｃｔｉｖｅ  ＡＣＫの送信、（３）イニシエータ機器による要求された一部のデータの送信は、ビーコン機器１０２が第１のテスト信号のすべてが受信されるまで繰り返される。または、予め定められた一定回数繰り返される。その回数は、記憶デバイス１３７ａに記憶されている無線通信テストの内容に含まれていてもよい。
【０２０７】
そして、ステップＳ５において、２．４ＧＨｚのテストが終了したか否かについて判定される。２．４ＧＨｚのテストが終了していない場合（ステップＳ５のＮＯ）、ステップＳ３に戻る。即ち、第１のテスト信号は、イニシエータ機器１０１から一定期間、定期的に送信され続ける。ビーコン機器１０２は第１のテスト信号を受信する度に、第１のテスト信号の受信度に応じた第１の応答信号を送信する。第１の応答信号はイニシエータ機器１０１によって受信され、テスト実行部３０４ａによってビーコン機器１０２の応答が判断される。「テストが終了する」とは、操作端末１０４から無線通信テストを終了させるためのテスト終了指示をイニシエータ機器１０１が受信した場合や、記憶デバイス１３７ａに記憶されている無線通信テストの内容をテスト実行部３０４ａがすべて実行し終えた場合のことである。
【０２０８】
２．４ＧＨｚのテストが終了した場合（ステップＳ５のＹＥＳ）、２．４ＧＨｚのテストの結果は、記憶デバイス１３７ａに記憶され（ステップＳ６）、テスト結果送信部３０５ａによって操作端末１０４に送信される（ステップＳ７）。ここで、２．４ＧＨｚのテストの結果は、上述したように、テストで使用したテスト信号（メッセージ）の種類や周波数帯域等の情報を含む要約メッセージを構成している。また、このテスト結果は、ステップＳ４の応答判断に基づいて生成される。
【０２０９】
続いて、ステップＳ８において、操作端末１０４からイニシエータ機器１０１とビーコン機器１０２間において周波数帯域８６８ＭＨｚで無線通信テストを実行させるためのテスト指示（８６８ＭＨｚのテスト指示）が受信されたか否かについて判定する。ここで、８６８ＭＨｚのテスト指示は、上述した第２のテスト指示のことである。
【０２１０】
イニシエータ機器１０１のテスト指示受信部３０３ａが、第２のテスト指示を受信していない場合（ステップＳ８のＮＯ）、イニシエータ機器１０１の無線通信テストについての動作は終了する。ステップＳ８のＮＯは、イニシエータ機器１０１とビーコン機器１０２間において、周波数帯域２．４ＧＨｚで相互に無線通信可能である場合が想定される。
【０２１１】
イニシエータ機器１０１のテスト指示受信部３０３ａが、８６８ＭＨｚのテスト指示を受信した場合（ステップＳ８のＹＥＳ）、テスト実行部３０４ａは、イニシエータ機器１０１とビーコン機器１０２間における８６８ＭＨｚの無線通信テスト（８６８ＭＨｚのテスト）を開始する（ステップＳ９）。ここで、８６８ＭＨｚのテストは、上述した第２のテストのことである。８６８ＭＨｚのテストは、記憶デバイス１３７ａに記憶されている無線通信テストの内容に従って実行される。
【０２１２】
８６８ＭＨｚのテストが開始されると、テスト実行部３０４ａは、８６８ＭＨｚの周波数帯域の第２のテスト信号をビーコン機器１０２に送信する（ステップＳ１０）。そして、テスト実行部３０４ａはビーコン機器１０２からの応答を判断する（ステップＳ１１）。ビーコン機器１０２の応答部３０７ｂは第２のテスト信号を受信した場合、第１のテスト信号の受信度に応じた第２の応答信号をイニシエータ機器１０１に送信する。テスト実行部３０４ａは、第１の応答信号を受信できたか否か、及び第１の応答信号を受信できた場合には第１の応答信号の内容（ＡＣＫとＳｅｌｅｃｔｉｖｅ  ＡＣＫのいずれであるか）に基づいて応答を判断する。ここで、第２の応答信号がＳｅｌｅｃｔｉｖｅ  ＡＣＫである場合には、テスト実行部３０４ａは第２のテスト信号中の送信を要求されたデータをビーコン機器１０２に再送信する。このような、（１）ビーコン機器１０２による一部のデータのみの受信、（２）ビーコン機器１０２によるＳｅｌｅｃｔｉｖｅ  ＡＣＫの送信、（３）イニシエータ機器による要求された一部のデータの送信は、上述したようにビーコン機器１０２が第２のテスト信号のすべてが受信されるまで繰り返される。または、予め定められた一定回数繰り返される。
【０２１３】
そして、ステップＳ１２において、８６８ＭＨｚのテストが終了したか否かについて判定される。２．４ＧＨｚのテストが終了していない場合（ステップＳ１２のＮＯ）、ステップＳ１０に戻る。即ち、第２のテスト信号は、イニシエータ機器１０１から一定期間、定期的に送信され続ける。ビーコン機器１０２は第２のテスト信号を受信する度に、第１のテスト信号の受信度に応じた第２の応答信号をイニシエータ機器１０１に送信する。第２の応答信号はイニシエータ機器１０１によって受信され、テスト実行部３０４ａによってビーコン機器１０２の応答が判断される。
【０２１４】
８６８ＭＨｚのテストが終了した場合（ステップＳ１２のＹＥＳ）、８６８ＭＨｚのテストの結果は、記憶デバイス１３７ａに記憶され（ステップＳ１３）、テスト結果送信部３０５ａによって操作端末１０４に送信される（ステップＳ１４）。ここで、８６８ＭＨｚのテストの結果は、上述したように、テストで使用したテスト信号（メッセージ）の種類や周波数帯域等の情報を含む要約メッセージを構成している。このテスト結果は、ステップＳ１１の応答判断に基づいて生成される。
【０２１５】
続いて、ステップＳ１５において、操作端末１０４から２．４ＧＨｚのテスト指示が受信されたか否かについて判定され、操作端末１０４から２．４ＧＨｚのテスト指示が受信されていなければ（ステップＳ１５のＮＯ）、イニシエータ機器１０１の無線通信テストについての動作は終了する。操作端末１０４から２．４ＧＨｚのテスト指示が受信されていた場合（ステップＳ１５のＹＥＳ）、ステップＳ２に戻る。ステップＳ１５のＹＥＳの場合とは、２．４ＧＨｚのテストの結果がイニシエータ機器１０１とビーコン機器１０２間で相互に無線通信不可能であって、かつ８６８ＭＨｚのテストの結果がイニシエータ機器１０１とビーコン機器１０２間で相互に無線通信不可能であった場合が想定される。
【０２１６】
なお、２．４ＧＨｚのテストの結果及び８６８ＭＨｚのテストの結果は、操作端末１０４だけでなくサービスバン１０５に送信されてもよい。
【０２１７】
図１４には、コネクトボタン１１４ａの操作に関する記載はないが、ステップＳ１において、２．４ＧＨｚのテスト指示が受信されたか否かを判断することに加えて、イニシエータ機器１０１のコネクトボタン１１４ａが押下されたか否かについても判断されてもよい。そして、イニシエータ機器１０１のコネクトボタン１１４ａが押下された場合にも、テスト実行部３０４ａは第１のテスト（２．４ＧＨｚにおけるテスト）を実行してもよい。同様に、ステップＳ８において、８６８ＭＨｚのテスト指示が受信されたか否かを判断することに加えて、イニシエータ機器１０１のコネクトボタン１１４ａが押下されたか否かについても判断されてもよい。そして、イニシエータ機器１０１のコネクトボタン１１４ａが押下された場合にも、テスト実行部３０４ａは第２のテスト（８６８ＭＨｚにおけるテスト）を実行してもよい。
【０２１８】
図１５は、ビーコン機器（第２のモード）に設定されたテスト機器１０２が実行する、無線通信テストに応答する動作を示すフローチャートである。図１５では、テスト機器１０１がイニシエータ機器に設定され、テスト機器１０２がビーコン機器に設定されたとして説明する。
【０２１９】
ステップＳ２１において、２．４ＧＨｚの周波数帯域の第１のテスト信号が受信されたか否かについて判定される。ビーコン機器１０２がイニシエータ機器１０１から第１のテスト信号を受信していない場合（ステップＳ２１のＮＯ）、ステップＳ２４に移る。ビーコン機器１０２がイニシエータ機器１０１から第１のテスト信号を受信すると（ステップＳ２１のＹＥＳ）、応答部３０７ａは第１のテスト信号の受信度に応じた応答を行う（ステップＳ２２）。ここで、応答部３０７ａは、受信度に応じて第１の応答信号をイニシエータ機器１０１に送信する。第１のテスト信号をすべて正常に受信できた場合にはＡＣＫを内容とする第１の応答信号を、第１のテスト信号の一部のみを正常に受信できた場合にはＳｅｌｅｃｔｉｖｅ  ＡＣＫを内容とする第１の応答信号をイニシエータ機器１０１に送信する。Ｓｅｌｅｃｔｉｖｅ  ＡＣＫで要求した一部のデータをイニシエータ機器１０１から受信した場合には、そのデータの受信度に応じた第１の応答信号をイニシエータ機器１０１に送信する。このような、（１）ビーコン機器１０２による一部のデータのみの受信、（２）ビーコン機器１０２によるＳｅｌｅｃｔｉｖｅ  ＡＣＫの送信、（３）イニシエータ機器による要求された一部のデータの送信は、上述したようにビーコン機器１０２が第１のテスト信号のすべてが受信されるまで、または、予め定められた一定回数繰り返される。
【０２２０】
続いて、ステップＳ２３において第１のテスト信号が受信されたか否かについて判定される。
【０２２１】
ビーコン機器１０２がイニシエータ機器１０１から第１のテスト信号を受信した場合（ステップＳ２３のＹＥＳ）、応答部３０７ａは第１のテスト信号の受信度に応じた応答を行う（ステップＳ２２）。ステップＳ２２の処理は、第１のテスト信号が受信されなくなるまで繰り返される。
【０２２２】
ビーコン機器１０２がイニシエータ機器１０１から第１のテスト信号を受信していない場合（ステップＳ２３のＮＯ）、ステップＳ２４において、８６８ＭＨｚの周波数帯域の第２のテスト信号が受信されたか否かについて判定される。ステップＳ２３のＮＯの場合は、イニシエータ機器１０１による第１のテスト（２．４ＧＨｚのテスト）が終了したことが想定される。
【０２２３】
ビーコン機器１０２がイニシエータ機器１０１から第２のテスト信号を受信していない場合（ステップＳ２４のＮＯ）、ビーコン機器１０２による無線通信テストに応答する動作は終了する。ステップＳ２４のＮＯとしては、２．４ＧＨｚにおける無線通信テストの結果がイニシエータ機器１０１とビーコン機器１０２間で相互に無線通信可能であった場合、第１のテスト及び第２のテストいずれもが実行されていない場合、第１のテスト及び第２のテストいずれもが実行されているが、ビーコン機器１０２が第１のテスト信号、及び第２のテスト信号いずれも全く受信できていない場合のいずれかが想定される。
【０２２４】
ビーコン機器１０２がイニシエータ機器１０１から第２のテスト信号を受信した場合（ステップＳ２４のＹＥＳ）、応答部３０７ａは第２のテスト信号の受信度に応じた応答を行う（ステップＳ２５）。ここで、応答部３０７ａは、受信度に応じて第２の応答信号をイニシエータ機器１０１に送信する。第２のテスト信号をすべて正常に受信できた場合にはＡＣＫを内容とする第２の応答信号を、第２のテスト信号の一部のみを正常に受信できた場合にはＳｅｌｅｃｔｉｖｅ  ＡＣＫを内容とする第２の応答信号をイニシエータ機器１０１に送信する。Ｓｅｌｅｃｔｉｖｅ  ＡＣＫで要求した一部のデータをイニシエータ機器１０１から受信した場合には、そのデータの受信度に応じた第２の応答信号をイニシエータ機器１０１に送信する。このような、（１）ビーコン機器１０２による一部のデータのみの受信、（２）ビーコン機器１０２によるＳｅｌｅｃｔｉｖｅ  ＡＣＫの送信、（３）イニシエータ機器による要求された一部のデータの送信は、上述したようにビーコン機器１０２が第２のテスト信号のすべてが受信されるまで、または、予め定められた一定回数繰り返される。
【０２２５】
ステップＳ２４のＹＥＳとしては、２．４ＧＨｚにおける無線通信テストの結果がイニシエータ機器１０１とビーコン機器１０２間で相互に無線通信不可能であった場合が想定される。
【０２２６】
応答部３０７ａが、第２の応答信号をイニシエータ機器１０１に送信すると、ステップＳ２６において第２のテスト信号が受信されたか否かについて判定される。ビーコン機器１０２がイニシエータ機器１０１から第２のテスト信号を受信すると（ステップＳ２６のＹＥＳ）、ステップ２５の処理が実行される。ステップＳ２５の処理は、第２のテスト信号が受信されなくなるまで繰り返される。ビーコン機器１０２がイニシエータ機器１０１から第２のテスト信号を受信していない場合（ステップＳ２６のＮＯ）、ビーコン機器１０２による無線通信テストに応答する動作は終了する。
【０２２７】
なお、２．４ＧＨｚのテストの結果がイニシエータ機器１０１とビーコン機器１０２間で相互に無線通信不可能であって、かつ８６８ＭＨｚのテストの結果がイニシエータ機器１０１とビーコン機器１０２間で相互に無線通信不可能であった場合、イニシエータ機器１０１から２．４ＧＨｚの第１のテスト信号がビーコン機器１０２に送信されることになる。この場合には、再び図１５に示すビーコン機器１０２による無線通信テストに応答する動作が実行される。
【０２２８】
図１６は、無線通信テストシステム１００によって実行される無線通信テストの内容の更新に関する動作を示すシーケンス図である。
【０２２９】
サービスバン１０５の記憶デバイス６２０に更新された無線通信テストの内容が記憶されると、テスト内容送信部６０３は、記憶された更新された無線通信テストの内容を操作端末１０４に送信する（ステップＥ５１）。更新された無線通信テストの内容とは、実行すべき無線通信テストの内容の更新後の内容である。なお、この更新された無線通信テスト内容は、例えば、サービスバン１０５がサーバ１０６からダウンロードしたものであってもよい。
【０２３０】
サービスバン１０５からの更新された無線通信テストの内容は、操作端末１０４によって受信されると（ステップＡ５１）、記憶デバイス５２０に記憶される（ステップＡ５２）。
【０２３１】
続いて、作業者は無線通信テストを始める前に操作端末１０４、テスト機器１０１、テスト機器１０２を用いて図８及び図９に示すテスト前設定動作を実行する（ステップＦ５１）。ここでは、テスト機器１０１がイニシエータ機器に設定され、テスト機器１０２がビーコン機器に設定されたとする。
【０２３２】
テスト前設定動作が実行された後、操作端末１０４の更新指示部５０６は、更新された無線通信テスト内容を含むテスト内容更新指示をイニシエータ機器１０１に送信する（ステップＡ５３）。このとき、作業者が操作端末１０４を操作したときに、テスト内容更新指示がイニシエータ機器１０１に送信されてもよいし、テスト前設定動作が終了した後に自動的にテスト内容の更新指示がイニシエータ機器１０１に送信されてもよい。
【０２３３】
イニシエータ機器１０１では、テスト内容更新部３０８ａは、操作端末１０４からのテスト内容更新指示を受信すると（ステップＢ５１）、テスト内容更新指示に基づいて実行する無線通信テストの内容を更新する（ステップＢ５２）。ここで、テスト内容更新部３０８ａは、記憶デバイス１３７ａに記憶されている無線通信テストの内容に、テスト内容更新指示に含まれる更新された無線通信テストの内容を上書きすることで、無線通信テストの内容を更新する。なお、更新方法は、この方法に限られない。
【０２３４】
作業者は、テスト内容を更新すると、操作端末１０４、イニシエータ機器１０１、ビーコン機器１０２を用いて無線通信テストを実行する（ステップＦ５２）。このとき、テスト実行部３０４ａは、記憶デバイス１３７ａに記憶されている無線通信テストの内容（更新された内容）に従って無線通信テストを実行する。その他は、図１１及び図１２に示した動作と同様である。
【０２３５】
図１７は、サービスバン１０５がイニシエータ機器（テスト機器）から無線通信テストの結果を取得する動作を示すシーケンス図である。ここでは、テスト機器１０１がイニシエータ機器に設定され、テスト機器１０２がビーコン機器に設定されたとする。
【０２３６】
作業者は、通信ハブ２０、各種メータ、ＩＨＤ４を設置しに各家庭を巡回する際に、サービスバン１０５に乗車する。サービスバン１０５と、イニシエータ機器１０１とは、上述したようにワイファイ通信機能、又はブルートゥース通信機能により無線通信可能である。このため、サービスバン１０５は直接イニシエータ機器１０１から無線通信テストの結果を取得できる場合がある。
【０２３７】
イニシエータ機器１０１では、テスト実行部３０４ａによる２．４ＧＨｚ又は８６８ＭＨｚの無線通信テストが終了すると（ステップＡ６１）、そのテスト結果は、記憶デバイス１３７ａに記憶される（ステップＡ６２）。そして、テスト結果送信部３０５ａは、実行されたテスト結果をサービスバン１０５に送信する（ステップＡ６３）。このとき、テスト結果は、ワイファイ通信機能、又はブルートゥース通信機能を利用して送信される。
【０２３８】
サービスバン１０５では、テスト結果取得部６０１がイニシエータ機器１０１からのテスト結果を取得する（ステップＥ６１）。そして、テスト結果取得部６０１によって取得されたテスト結果は、記憶デバイス６２０に記憶される（ステップＥ６２）。また、アップロード部６０２は、テスト結果取得部６０１によって取得されたテスト結果をサーバ１０６にアップロードする（ステップＥ６３）。
【０２３９】
図１８は、サービスバン１０５が操作端末１０４から無線通信テストの結果を取得する動作を示すシーケンス図である。ここでは、テスト機器１０１がイニシエータ機器に設定され、テスト機器１０２がビーコン機器に設定されたとする。
【０２４０】
上述したようにサービスバン１０５と、イニシエータ機器１０１とはワイファイ通信機能、又はブルートゥース通信機能により無線通信可能であるが、サービスバン１０５が直接イニシエータ機器１０１から無線通信テストの結果を取得できない場合もある。例えば、サービスバン１０５から離れた場所で無線通信テストが実行されている場合が想定される。その場合、サービスバン１０５は、操作端末１０４を介して通信テストの結果を取得する。
【０２４１】
操作端末１０４のテスト結果受信部５０４が、実行された無線通信テストの結果をイニシエータ機器１０１から受信すると（ステップＡ７１）、そのテスト結果は、記憶デバイス５２０に記憶される（ステップＡ７２）。そして、テスト結果送信部５０７は、イニシエータ機器１０１から受信されたテスト結果をサービスバン１０５に送信する（ステップＡ７３）。このとき、テスト結果は、ワイファイ通信機能、又はブルートゥース通信機能を利用して送信される。
【０２４２】
サービスバン１０５では、テスト結果取得部６０１が操作端末１０４からテスト結果を取得する（ステップＥ７１）。ステップＥ７２，Ｅ７３は、図１７のステップＥ６２，Ｅ６３にそれぞれ対応する。
【０２４３】
ここで、テスト結果は、操作端末１０４から直接サーバにアップロードされてもよい。この場合、操作端末１０４のアップロード部５０８は、テスト結果受信部５０４がイニシエータ機器１０１から受信した無線通信テストの結果をサーバ１０６にアップロードする。
【０２４４】
また、図１７及び図１８において、サーバ１０６にテスト結果がアップロードされる場合に、テスト条件とともに、サービスバン１０５、又は操作端末１０４からアップロードされてもよい。テスト条件とは、無線通信テストを実行した家庭等の建物の住所、周波数帯域（２.４ＧＨｚ又は８６８ＭＨｚ）、使用したテスト機器の識別番号、各テスト機器の配置位置（通信ハブ付近、ガスメータ付近、ＩＨＤ付近等の位置情報）等である。この場合、サーバ１０６側では、どの家庭にどの周波数帯域に対応した通信ハブ２０やメータ等を設置できるかを管理することができる。テスト条件は、テスト実行時に作業者が操作端末１０４に入力されたものであってもよい。またその場合、テスト条件は、操作端末１０４からテスト結果とともにサービスバン１０５に送信されて、テスト結果とともにサービスバン１０５内の記憶デバイス６２０に記憶されてもよい。
【０２４５】
なお、点灯制御部３０６ａ，３０６ｂ，３０６ｃが各ＬＥＤ（Ｗ／Ｂ  ＬＥＤ、ＺＢ  ＬＥＤ、Ｓ／Ｐ  ＬＥＤ）を点灯させる場合、図７に示した色や、点滅させる周波数の大きさに限られない。Ｗ／Ｂ  ＬＥＤ１１１ａ，１１１ｂ，１１１ｃ、ＺＢ  ＬＥＤ１１２ａ，１１２ｂ，１１２ｃについては、少なくとも、ペアリング中とペアリング終了時とエラー状態の区別、及びテスト中とテスト終了時とエラー状態の区別ができるような点灯態様であればよい。Ｓ／Ｐ  ＬＥＤ１１３ａ，１１３ｂ，１１３ｃについては、それぞれバッテリ１１３ａ，１１３ｂ，１１３ｃの各充電状況（充電中、フル充電、ローバッテリ等）及びシステムエラー状態を区別できる点灯態様であればよい。これは、作業者にテスト機器の充電状況やエラー状態を示すためである。
【０２４６】
なお、２．４ＧＨｚによる無線通信テストと、８６８ＭＨｚによる無線通信テストは、いずれを先に実行することにしてもよい。
【０２４７】
上述したように、本実施形態によれば、操作端末からイニシエータ機器に設定されたテスト機器にテスト指示を送信して、イニシエータ機器に設定されたテスト機器と、ビーコン機器に設定されたテスト機器との間における特定の周波数帯域の無線通信テストを実行することができる。よって、イニシエータ機器に設定されたテスト機器を通信ハブ付近に配置し、ビーコン機器に設定されたテスト機器を各種メータ又はＩＨＤ付近に配置して無線通信テストを実行することで、通信ハブとメータ等を設置する前に作業者は通信ハブとメータ等の間で、特定の周波数帯域において相互に無線通信可能か否かについて知ることができる。したがって、作業者は、設置すべき通信ハブやメータ等を適切に把握することができる。また、テスト機器は通信ハブやメータ等とは別の機器であり、通信ハブやメータ等と同様の周波数帯域で通信可能であるため、それらのテスト機器を使用して無線通信テストを実行することで、実際に通信ハブやメータ等を設置しなくとも、無線通信テストが実行できる。よって、作業者はガスや電気の利用を停止させずに無線通信テストを実行することができる。また、一度任意の通信ハブやメータ等を設置して、それらの間で相互に無線通信ができない場合に取り換えるというやり方を実行するよりも、通信ハブやメータ等設置作業を短縮できる。よって、ガスや電気の提供を受ける者の不都合の増大を防ぐことができる。さらに、すべての家庭などに、あらゆる周波数帯域に対応した通信ハブやメータ等を設置する場合に比べてコストを低くできる。
【０２４８】
イニシエータ機器に設定されたテスト機器は、ビーコン機器に設定された複数のテスト機器それぞれとの間における無線通信テストを実行できるため、通信ハブの他に設置するメータ等が複数ある場合に、より効率的に無線通信テストを実行することができる。
【０２４９】
テスト機器は、イニシエータ機器とビーコン機器のいずれにも設定できる。このため、イニシエータ機器として使用していたテスト機器が破損した場合でも、ビーコン機器として使用していたテスト機器をイニシエータ機器に設定しなおすことで、残りのテスト機器で無線通信テストを実行することができる。
【０２５０】
操作端末が更新された無線通信テスト内容を含む無線通信テストの内容の更新指示をイニシエータ機器に設定されたテスト機器に送信することで、イニシエータ機器に設定されたテスト機器は、テスト内容を更新することができる。よって、無線通信テストの内容がアップデートされた場合に、アップデートされた内容で無線通信テストを実行することができる。
【０２５１】
また、イニシエータ機器に設定されたテスト機器は、無線通信テストが終了すると、テストの結果を操作端末及びサービスバンに送信するため、操作端末及びサービスバンは、テスト結果を取得できる。また、操作端末は、イニシエータ機器に設定されたテスト機器から取得したテスト結果をサービスバンに送信するため、サービスバンは、イニシエータ機器から直接テスト結果を取得できない場合でも、操作端末を介してテスト結果を取得することができる。
【０２５２】
各テスト機器にバッテリを備えることで電源供給できない状況でも無線通信テストを実行することができる。
【０２５３】
また、操作端末やサービスバンがテスト結果をサーバにアップロードすることで、サーバは、テスト結果を取得できる。このとき、テスト結果とともに、無線通信テストを実行した家庭等の建物の住所、周波数帯域（２.４ＧＨｚ又は８６８ＭＨｚ）、使用したテスト機器の識別番号、各テスト機器の配置位置（通信ハブ付近、ガスメータ付近、ＩＨＤ付近等の位置情報）等を取得することで、どの家庭にどの周波数帯域に対応した通信ハブやメータ等を設置できるかを管理することができる。その管理されたデータに基づけば、通信ハブやメータ等を取り換える作業を行う場合に、その取り換え作業時間を短縮することができる。
【０２５４】
さらに、無線通信テストが実行されている間と、無線通信テストが終了した時に、異なる態様でＺＢ  ＬＥＤを点灯させることで、作業者は無線通信テストが実行中か、終了したかをテスト機器に目を向けるだけ知ることができる。また、テストの結果、相互に無線通信可能であった場合と相互に無線通信不可能であった場合とで、異なる態様でＺＢ  ＬＥＤを点灯させることで、作業者は無線通信テストの結果をテスト機器に目を向けるだけ知ることができる。
【０２５５】
また、Ｓ／Ｐ  ＬＥＤをバッテリの充電状況（充電中、フル充電、ローバッテリ等）、システムエラー状態を区別できるような態様で点灯するため、作業者にテスト機器の充電状況やエラー状態を示すことができる。
【０２５６】
実施形態によれば、次のシステム、電子機器及びテスト方法が提供される。
【０２５７】
（１）  第１の周波数帯域で通信可能な通信手段と第２の周波数帯域で通信可能な通信手段とを有する第１の電子機器と、
前記第１の周波数帯域で通信可能な通信手段と前記第２の周波数帯域で通信可能な通信手段とを有する第２の電子機器と、
第３の電子機器とを具備するシステムであって、
前記第３の電子機器は、前記第１の電子機器と前記第２の電子機器とが前記第１の周波数帯域で相互に無線通信可能であるか否かを判定する第１のテストを実行させるための第１の指示を少なくとも前記第１の電子機器及び前記第２の電子機器のいずれかに送信し 、
前記第１の指示を受信したいずれかの電子機器は、前記第１のテストを実行し、前記第１のテストの結果を前記第３の電子機器に送信するシステム。
【０２５８】
（２）前記第３の電子機器は、前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるか否かを判定する第２のテストを実行させるための第２の指示を前記第１の電子機器及び前記第２の電子機器のいずれかに送信し、
前記第２の指示を受信したいずれかの電子機器は、前記第２のテストを実行し、前記第２のテストの結果を前記第３の電子機器に送信する（１）記載のシステム。
【０２５９】
（３）  前記第１の周波数帯域で通信可能な通信手段と前記第２の周波数帯域で通信可能な通信手段とを有する第４の電子機器を更に具備し、
前記第３の電子機器は、少なくとも前記第１及び第２の電子機器のいずれかの電子機器と前記第４の電子機器とが前記第１の周波数帯域で相互に無線通信可能であるか否かを判定する第３のテストを実行させるための第３の指示を少なくとも前記第１及び第２の電子機器のいずれかに送信し、
前記第３の指示を受信した前記第１及び第２の電子機器のいずれかの電子機器は、前記第３のテストを実行し、前記第３のテストの結果を前記第３の電子機器に送信する（１）記載のシステム。
【０２６０】
（４）  前記第３の電子機器は、
前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるかを判定する第２のテストを実行させるための第２の指示を少なくとも前記第１及び第２の電子機器のいずれかに送信し、
前記第１の電子機器と前記第４の電子機器とが前記第１の周波数帯域で相互に無線通信可能ではないことを示す前記第３のテストの結果を受信した場合、前記第１の電子機器と前記第４の電子機器とが前記第２の周波数帯域で相互に無線通信可能であるか否かを判定する第４のテストを実行させるための第４の指示を少なくとも前記第１及び第２の電子機器のいずれかに送信し、
前記第２の指示を受信したいずれかの電子機器は、前記第２のテストを実行し、前記第２のテストの結果を前記第３の電子機器に送信し、
前記第４の指示を受信したいずれかの電子機器は、前記第４のテストを実行し、前記第４のテストの結果を前記第３の電子機器に送信する（３）記載のシステム。
【０２６１】
（５）  前記第３の電子機器は、
前記第１の電子機器と前記第２の電子機器の一方を第１のモードに設定し、前記第１の電子機器と前記第２の電子機器の他方を第２のモードに設定し、
前記第１のモードに設定された前記第１の電子機器と前記第２の電子機器の一方に前記第１の指示を送信し、
前記第１のモードに設定された前記第１の電子機器と前記第２の電子機器の一方は、前記第１の指示を受信した場合、前記第１の周波数帯域の第１のテスト信号を前記第２のモードに設定された前記第１の電子機器と前記第２の電子機器の他方に送信し、
前記第２のモードに設定された前記第１の電子機器と前記第２の電子機器の他方は、前記第１のテスト信号を受信した場合、前記第１のテスト信号の受信度に応じた第１の応答信号を前記第１のモードに設定された前記第１の電子機器と前記第２の電子機器の一方に送信する（１）記載のシステム。
【０２６２】
（６）  前記第３の電子機器は、前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるかを判定する第２のテストを実行させるための第２の指示を、前記第１のモードに設定された前記第１の電子機器と前記第２の電子機器の一方に送信し、
前記第１のモードに設定された前記第１の電子機器と前記第２の電子機器の一方は、前記第２の指示を受信した場合、前記第２の周波数帯域の第２のテスト信号を前記第２のモードに設定された前記第１の電子機器と前記第２の電子機器の他方に送信し、
前記第２のモードに設定された前記第１の電子機器と前記第２の電子機器の他方は、前記第２のテスト信号を受信した場合、前記第２のテスト信号の受信度に応じた第２の応答信号を前記第１のモードに設定された前記第１の電子機器と前記第２の電子機器の一方に送信する（５）記載のシステム。
【０２６３】
（７）  前記第３の電子機器は、前記第１のテストの内容の更新指示を少なくとも前記第１の電子機器及び前記第２の電子機器のいずれかに送信し、
前記更新指示を受信したいずれかの電子機器は、前記第１のテストの内容を前記更新指示に基づいて更新する（１）記載のシステム。
【０２６４】
（８）  前記第１のテストの内容を前記第３の電子機器に送信する第５の電子機器を更に具備し、
前記第３の電子機器は、前記第１のテストの内容を受信すると、受信した前記第１のテストの内容に基づいて、前記第１のテストの内容の更新指示を少なくとも前記第１の電子機器及び前記第２の電子機器のいずれかに送信する（１）記載のシステム。
【０２６５】
（９）  前記第１の周波数帯域は２．４ＧＨｚ帯域であり、前記第２の周波数帯域は８６８ＭＨｚ帯域である（１）記載のシステム。
【０２６６】
（１０）  前記第１の電子機器及び前記第２の電子機器は、充電池を更に具備する（１）記載のシステム。
【０２６７】
（１１）  前記第１の電子機器及び前記第２の電子機器は、前記充電池の充電状況に応じた態様で点灯する点灯手段を具備する（１０）記載のシステム。
【０２６８】
（１２）  前記第１のテストの結果を前記第１の指示を受信したいずれかの電子機器から取得し、取得した前記第１のテストの結果をサーバにアップロードする第６の電子機器 を更に具備する（１）記載のシステム。
【０２６９】
（１３）  前記第３の電子機器は、前記第１のテストの結果をサーバにアップロードする（１２）記載のシステム。
【０２７０】
（１４）  前記第１の電子機器及び前記第２の電子機器の少なくとも一方は、
前記第１のテストが実行されている間は第１の態様で点灯し、前記第１のテストの実行が終了すると第２の態様で点灯する点灯手段を具備する（１）記載のシステム。
【０２７１】
（１５）  前記第１の電子機器及び前記第２の電子機器の少なくとも一方は、
前記第１のテストが実行されている間は第１の態様で点灯し、前記第１のテストの結果が、前記第１の電子機器と前記第２の電子機器とが前記第１の周波数帯域で相互に無線通信可能であることを示す場合、第２の態様で点灯し、前記第１のテストの結果が、前記第１の電子機器と前記第２の電子機器とが前記第１の周波数帯域で相互に無線通信可能ではないことを示す場合、第３の態様で点灯する点灯手段を具備する（１）記載のシステム。
【０２７２】
（１６）  第１の周波数帯域及び第２の周波数帯域で通信可能な通信手段を有する電子機器であって、
前記第１の周波数帯域及び前記第２の周波数帯域で通信可能な通信手段を有する第１の通信機器 に対して、前記第１の周波数帯域で相互に無線通信可能であるか否かを判定するための第１のテストを実行させるための第１の指示を制御機器から受信した場合、前記第１のテストを実行し、前記第１のテストの結果を前記制御機器に送信する電子機器。
【０２７３】
（１７）  前記第１のテストの結果を前記制御機器に送信した後、前記第１の通信機器に対して、前記第２の周波数帯域で相互に無線通信可能であるか否かを判定するための第２のテストを実行させるための第２の指示を前記制御機器から受信した場合、前記第２のテストを実行し、前記第２のテストの結果を前記制御機器に送信する（１６）記載の電子機器。
【０２７４】
（１８）  前記第１の周波数帯域及び前記第２の周波数帯域で通信可能な通信手段を有する第２の通信機器に対して、前記第１の周波数帯域で相互に無線通信可能であるか否かを判定するための第３のテストを実行させるための第３の指示を受信した場合、前記第３のテストを実行し、前記第３のテストの結果を前記制御機器に送信する（１６）記載の電子機器。
【０２７５】
（１９）  前記第１のテストの結果を前記制御機器に送信した後、前記第１の通信機器に対して、前記第２の周波数帯域で相互に無線通信可能であるか否かを判定するための第２のテストを実行させるための第２の指示を前記制御機器から受信した場合、前記第２のテストを実行し、前記第２のテストの結果を前記制御機器に送信し、
前記第３のテストの結果を前記制御機器に送信した後、前記第２の通信機器に対して、前記第２の周波数帯域で相互に無線通信可能であるか否かを判定するための第４のテストを実行させるための第４の指示を受信した場合、前記第４のテストを実行し、前記第４のテストの結果を前記制御機器に送信する（１８）記載の電子機器。
【０２７６】
（２０）  第１のモード又は第２のモードに設定可能であり、
前記第１のモードに設定され、前記第１の指示を受信した場合、前記第２のモードに設定された前記第１の通信機器に前記第１の周波数帯域の第１のテスト信号を送信し、
前記第２のモードに設定され、前記第１のモードに設定された前記第１の通信機器から前記第１のテスト信号を受信した場合、前記第１のテスト信号の受信度に応じた第１の応答信号を前記第１のモードに設定された前記第１の通信機器に送信する（１６）記載の電子機器。
【０２７７】
（２１）  更新指示を受信すると、前記第１のテストの内容を前記更新指示に基づいて更新する（１６）記載の電子機器。
【０２７８】
（２２）  前記第１の周波数帯域は２．４ＧＨｚ帯域であり、前記第２の周波数帯域は８６８ＭＨｚ帯域である（１６）記載の電子機器。
【０２７９】
（２３）  充電池を更に具備する（１６）記載の電子機器。
【０２８０】
（２４）  前記充電池の充電状況に応じた態様で点灯する点灯手段を具備する（２３）記載の電子機器。
【０２８１】
（２５）  前記第１のテストが実行されている間は第１の態様で点灯し、前記第１のテストの実行が終了すると前記第１の態様とは異なる第２の態様で点灯する点灯手段を具備する（１６）記載の電子機器。
【０２８２】
（２６）  前記第１のテストが実行されている間は第１の態様で点灯し、前記第１のテストの結果が、前記第１の通信機器に対して、前記第１の周波数帯域で相互に無線通信可能であることを示す場合、第２の態様で点灯し、前記第１のテストの結果が、前記第１の通信機器に対して、前記第１の周波数帯域で相互に無線通信可能ではないことを示す場合、第３の態様で点灯する点灯手段を具備する（１６）記載の電子機器。
【０２８３】
（２７）  第１の周波数帯域及び第２の周波数帯域で通信可能な通信手段を有する第１の電子機器と、
前記第１の周波数帯域及び前記第２の周波数帯域で通信可能な通信手段を有する第２の電子機器と、
第３の電子機器とを具備するシステムにおけるテスト方法であって、
前記第３の電子機器は、前記第１の電子機器と前記第２の電子機器とが前記第１の周波数帯域で相互に無線通信可能である否かを判定する第１のテストを実行させるための第１の指示を少なくとも前記第１の電子機器及び前記第２の電子機器のいずれかに送信し、
前記第１の指示を受信した前記いずれかの電子機器は、前記第１のテストを実行し、前記第１のテストの結果を前記第３の電子機器に送信するテスト方法。
【０２８４】
（２８）  前記第３の電子機器は、前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるか否かを判定する第２のテストを実行させるための第２の指示を少なくとも前記第１の電子機器及び前記第２の電子機器のいずれかに送信し、
前記第２の指示を受信した前記いずれかの電子機器は、前記第２のテストを実行し、前記第２のテストの結果を前記第３の電子機器に送信する（２７）記載のテスト方法。
【０２８５】
（２９）  前記第３の電子機器は、前記第１の周波数帯域及び前記第２の周波数帯域で通信可能な通信手段を有する第４の電子機器と前記第１の電子機器とが前記第１の周波数帯域で相互に無線通信可能であるか否かを判定する第３のテストを実行させるための第３の指示を少なくとも前記第１及び第２の電子機器のいずれかに送信し、
前記第３の指示を受信した前記いずれかの電子機器は、前記第３のテストを実行し、前記第３のテストの結果を前記第３の電子機器に送信する（２７）記載のテスト方法。
【０２８６】
（３０）  前記第３の電子機器は、
前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるかを判定する第２のテストを実行させるための第２の指示を少なくとも前記第１及び第２の電子機器のいずれかに送信し、
前記第１の電子機器と前記第４の電子機器とが前記第１の周波数帯域で相互に無線通信可能ではないことを示す前記第３のテストの結果を受信した場合、前記第１の電子機器と前記第４の電子機器とが前記第２の周波数帯域で相互に無線通信可能であるか否かを判定する第４のテストを実行させるための第４の指示を少なくとも前記第１及び第２の電子機器のいずれかに送信し、
前記第２の指示を受信した前記いずれかの電子機器は、前記第２のテストを実行し、前記第２のテストの結果を前記第３の電子機器に送信し、
前記第４の指示を受信した前記いずれかの電子機器は、前記第４のテストを実行し、前記第４のテストの結果を前記第３の電子機器に送信する（２９）記載のテスト方法。
【０２８７】
（３１）  前記第３の電子機器は、
前記第１の電子機器と前記第２の電子機器の一方を第１のモードに設定し、前記第１の電子機器と前記第２の電子機器の他方を第２のモードに設定し、
前記第１のモードに設定された前記第１の電子機器と前記第２の電子機器の一方に前記第１の指示を送信し、
前記第１のモードに設定された前記第１の電子機器と前記第２の電子機器の一方は、前記第１の指示を受信した場合、前記第１の周波数帯域の第１のテスト信号を前記第２のモードに設定された前記第１の電子機器と前記第２の電子機器の他方に送信し、
前記第２のモードに設定された前記第１の電子機器と前記第２の電子機器の他方は、前記第１のテスト信号を受信した場合、前記第１のテスト信号の受信度に応じた第１の応答信号を前記第１のモードに設定された前記第１の電子機器と前記第２の電子機器の一方に送信する（２７）記載のテスト方法。
【０２８８】
（３２）  前記第３の電子機器は、前記第１の電子機器と前記第２の電子機器とが前記第１の周波数帯域で相互に無線通信可能ではないことを示す前記第１のテストの結果を受信した場合、前記第１の電子機器と前記第２の電子機器とが前記第２の周波数帯域で相互に無線通信可能であるかを判定する第２のテストを実行させるための第２の指示を、前記第１のモードに設定された前記第１の電子機器と前記第２の電子機器の一方に送信し、
前記第１のモードに設定された前記第１の電子機器と前記第２の電子機器の一方は、前記第２の指示を受信した場合、前記第２の周波数帯域の第２のテスト信号を前記第２のモードに設定された前記第１の電子機器と前記第２の電子機器の他方に送信し、
前記第２のモードに設定された前記第１の電子機器と前記第２の電子機器の他方は、前記第２のテスト信号を受信した場合、前記第２のテスト信号の受信度に応じた第２の応答信号を前記第１のモードに設定された前記第１の電子機器と前記第２の電子機器の一方に送信する（３１）記載のテスト方法。
【０２８９】
（３３）  前記第３の電子機器は、前記第１のテストの内容の更新指示を少なくとも前記第１の電子機器及び前記第２の電子機器のいずれかに送信し、
前記更新指示を受信した前記いずれかの電子機器は、前記第１のテストの内容を前記更新指示に基づいて更新する（２７）記載のテスト方法。
【０２９０】
（３４）  前記第１のテストの内容が第５の電子機器により前記第３の電子機器に送信され、
前記第３の電子機器は、前記第１のテストの内容を受信すると、受信した前記第１のテストの内容に基づいて、前記第１のテストの内容の更新指示を少なくとも前記第１の電子機器及び前記第２の電子機器のいずれかに送信する（２７）記載のテスト方法。
【０２９１】
（３５）  前記第１の周波数帯域は２．４ＧＨｚ帯域であり、前記第２の周波数帯域は８６８ＭＨｚ帯域である（２７）記載のテスト方法。
【０２９２】
（３６）  前記第１の電子機器及び前記第２の電子機器の少なくとも一方は、点灯手段を具備し、
前記点灯手段は、前記第１のテストが実行されている間は第１の態様で点灯し、前記第１のテストの実行が終了すると第２の態様で点灯する（２７）記載のテスト方法。
【０２９３】
（３７）  前記第１の電子機器及び前記第２の電子機器の少なくとも一方は、点灯手段を具備し、
前記点灯手段は、前記第１のテストが実行されている間は第１の態様で点灯し、前記第１のテストの結果が、前記第１の電子機器と前記第２の電子機器とが前記第１の周波数帯域で相互に無線通信可能であることを示す場合、第２の態様で点灯し、前記第１のテストの結果が、前記第１の電子機器と前記第２の電子機器とが前記第１の周波数帯域で相互に無線通信可能ではないことを示す場合、第３の態様で点灯する（２７）記載のテスト方法。
【０２９４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０２９５】
１００…無線通信テストシステム、１０１，１０２，１０３…テスト機器、１０４…操作端末、１０４ａ…表示部、１０５…サービスバン、１０６…サーバ、１１１ａ，１１１ｂ，１１１ｃ…Ｗ／Ｂ  ＬＥＤ、１１２ａ，１１２ｂ，１１２ｃ…ＺＢ  ＬＥＤ、１１３ａ，１１３ｂ，１１３ｃ…Ｓ／Ｐ  ＬＥＤ、１２１ａ，１２１ｂ，１２１ｃ…ＺＢアンテナ、１２２ａ，１２２ｂ，１２２ｃ…Ｗ／Ｂアンテナ、１２４ａ，１２４ｂ，１２４ｃ…バッテリ、１３６ａ，１３６ｂ，１３６ｃ…メインＭＣＵ、１３７ａ，１３７ｂ，１３７ｃ…記憶デバイス、１３８ａ，１３８ｂ，１３８ｃ…プログラム、１３９ａ，１３９ｂ，１３９ｃ…ジグビーデバイス。
【図１】
2019165416.tif 000002
【図２】
2019165416.tif 000003
【図３】
2019165416.tif 000004
【図４】
2019165416.tif 000005
【図５】
2019165416.tif 000006
【図６】
2019165416.tif 000007
【図７】
2019165416.tif 000008
【図８】
2019165416.tif 000009
【図９】
2019165416.tif 000010
【図１０】
2019165416.tif 000011
【図１１】
2019165416.tif 000012
【図１２】
2019165416.tif 000013
【図１３】
2019165416.tif 000014
【図１４】
2019165416.tif 000015
【図１５】
2019165416.tif 000016
【図１６】
2019165416.tif 000017
【図１７】
2019165416.tif 000018
【図１８】
2019165416.tif 000019